(57)【要約】【課題】例えば、ＦＭＣと呼ばれる固定通信と移動体通信の融合による新しいサービスにおいては、ＦＭＣ専用の電話番号として「０６０−」から始まる電話番号の利用が検討され始めている。すなわち、一つの電話番号で固定通信も移動体通信も行なうことができるわけであるが、このようなサービスにおいては、従来のように電話番号のみによって固定通信を利用した電話着信であるのか移動体通信を利用した電話着信であるのかを区別することはできない。【解決手段】複数種の回線を利用可能な通信端末装置であって、着信側通信端末装置において着信時に利用された着信回線種別に応じて着信処理制御を行なう通信端末装置を提案する。また、着信回線種別に加えて、発信側において発信時に利用された発信回線種別にも応じて着信処理制御を行なうようになっていてもよい。【選択図】図１
2009290246.tif 000002
【特許請求の範囲】
【請求項１】
複数種の回線を利用可能な通信端末装置であって、
着信回線種別を示す着信回線ＩＤを取得する第一着信回線ＩＤ取得部と、
取得した着信回線ＩＤに応じて着信処理制御をする着信回線ＩＤ依存着信処理制御部と、
を有する通信端末装置。
【請求項２】
通信網中での自己識別用に複数の自己ＩＤを利用可能な通信端末装置であって、
着信に利用された自己ＩＤを示す呼出ＩＤを取得する第一呼出ＩＤ取得部と、
取得した呼出ＩＤに応じて着信処理制御をする呼出ＩＤ依存着信処理制御部と、
を有する通信端末装置。
【請求項３】
発信回線種別を示す発信回線ＩＤを含む着呼信号を受信可能な受信部と、
着呼信号に発信回線ＩＤが含まれている場合に、発信回線ＩＤを取得する第一発信回線ＩＤ取得部と、
取得した発信回線ＩＤに応じて着信処理制御をする発信回線ＩＤ依存着信処理制御部と、
を有する通信端末装置。
【請求項４】
複数種の回線を利用可能な通信端末装置であって、
着信回線種別を示す着信回線ＩＤを取得する第二着信回線ＩＤ取得部と、
発信回線種別を示す発信回線ＩＤを含む着呼信号を受信可能な第一受信部と、
着呼信号に発信回線ＩＤが含まれている場合に、発信回線ＩＤを取得する第二発信回線ＩＤ取得部と、
取得した着信回線ＩＤ及び発信回線ＩＤに応じて着信処理制御をする着信回線ＩＤ発信回線ＩＤ依存着信処理制御部と、
を有する通信端末装置。
【請求項５】
通信網中での自己識別用に複数の自己ＩＤを利用可能な通信端末装置であって、
着信に利用された自己ＩＤを示す呼出ＩＤを取得する第二呼出ＩＤ取得部と、
発信回線種別を示す発信回線ＩＤを含む着呼信号を受信可能な第二受信部と、
着呼信号に発信回線ＩＤが含まれている場合に、発信回線ＩＤを取得する第三発信回線ＩＤ取得部と、
取得した呼出ＩＤ及び発信回線ＩＤに応じて着信処理制御をする呼出ＩＤ発信回線ＩＤ依存着信処理制御部と、
を有する通信端末装置。
【請求項６】
複数種の回線を利用可能な通信端末装置であって、
着信回線種別を示す着信回線ＩＤを取得する第三着信回線ＩＤ取得部と、
発信ＩＤを取得する第一発信ＩＤ取得部と、
取得した着信回線ＩＤ及び発信ＩＤに応じて着信処理制御をする着信回線ＩＤ発信ＩＤ依存着信処理制御部と、
を有する通信端末装置。
【請求項７】
通信網中での自己識別用に複数の自己ＩＤを利用可能な通信端末装置であって、
着信に利用された自己ＩＤを示す呼出ＩＤを取得する第三呼出ＩＤ取得部と、
発信ＩＤを取得する第二発信ＩＤ取得部と、
取得した呼出ＩＤ及び発信ＩＤに応じて着信処理制御をする呼出ＩＤ発信ＩＤ依存着信処理制御部と、
を有する通信端末装置。
【請求項８】
複数種の回線を利用可能な通信端末装置の動作方法であって、
着信回線種別を示す着信回線ＩＤを取得する第一着信回線ＩＤ取得ステップと、
取得した着信回線ＩＤに応じて着信処理制御をする着信回線ＩＤ依存着信処理制御ステップと、
を有する通信端末装置の動作方法。
【請求項９】
通信網中での自己識別用に複数の自己ＩＤを利用可能な通信端末装置の動作方法であって、
着信に利用された自己ＩＤを示す呼出ＩＤを取得する第一呼出ＩＤ取得ステップと、
取得した呼出ＩＤに応じて着信処理制御をする呼出ＩＤ依存着信処理制御ステップと、
を有する通信端末装置の動作方法。
【請求項１０】
発信回線種別を示す発信回線ＩＤを含む着呼信号を受信可能な受信ステップと、
着呼信号に発信回線ＩＤが含まれている場合に、発信回線ＩＤを取得する第一発信回線ＩＤ取得ステップと、
取得した発信回線ＩＤに応じて着信処理制御をする発信回線ＩＤ依存着信処理制御ステップと、
を有する通信端末装置の動作方法。
【請求項１１】
複数種の回線を利用可能な通信端末装置の動作方法であって、
着信回線種別を示す着信回線ＩＤを取得する第二着信回線ＩＤ取得ステップと、
発信回線種別を示す発信回線ＩＤを含む着呼信号を受信可能な第一受信ステップと、
着呼信号に発信回線ＩＤが含まれている場合に、発信回線ＩＤを取得する第二発信回線ＩＤ取得ステップと、
取得した着信回線ＩＤ及び発信回線ＩＤに応じて着信処理制御をする着信回線ＩＤ発信回線ＩＤ依存着信処理制御ステップと、
を有する通信端末装置の動作方法。
【請求項１２】
通信網中での自己識別用に複数の自己ＩＤを利用可能な通信端末装置の動作方法であって、
着信に利用された自己ＩＤを示す呼出ＩＤを取得する第二呼出ＩＤ取得ステップと、
発信回線種別を示す発信回線ＩＤを含む着呼信号を受信可能な第二受信ステップと、
着呼信号に発信回線ＩＤが含まれている場合に、発信回線ＩＤを取得する第三発信回線ＩＤ取得ステップと、
取得した呼出ＩＤ及び発信回線ＩＤに応じて着信処理制御をする呼出ＩＤ発信回線ＩＤ依存着信処理制御ステップと、
を有する通信端末装置の動作方法。
【請求項１３】
複数種の回線を利用可能な通信端末装置の動作方法であって、
着信回線種別を示す着信回線ＩＤを取得する第三着信回線ＩＤ取得ステップと、
発信ＩＤを取得する第一発信ＩＤ取得ステップと、
取得した着信回線ＩＤ及び発信ＩＤに応じて着信処理制御をする着信回線ＩＤ発信ＩＤ依存着信処理制御ステップと、
を有する通信端末装置の動作方法。
【請求項１４】
通信網中での自己識別用に複数の自己ＩＤを利用可能な通信端末装置の動作方法であって、
着信に利用された自己ＩＤを示す呼出ＩＤを取得する第三呼出ＩＤ取得ステップと、
発信ＩＤを取得する第二発信ＩＤ取得ステップと、
取得した呼出ＩＤ及び発信ＩＤに応じて着信処理制御をする呼出ＩＤ発信ＩＤ依存着信処理制御ステップと、
を有する通信端末装置の動作方法。
【請求項１５】
複数種の回線を利用可能であって、さらに通信網中での自己識別用に複数の自己ＩＤを利用可能な通信端末装置であって、
着信回線種別を示す着信回線ＩＤを取得する第四着信回線ＩＤ取得部と、
着信に利用された自己ＩＤを示す呼出ＩＤを取得する第四呼出ＩＤ取得部と、
取得した着信回線ＩＤ及び呼出ＩＤに応じて着信処理制御をする着信回線ＩＤ呼出ＩＤ依存着信処理制御部と、
を有する通信端末装置。
【請求項１６】
複数種の回線を利用可能であって、さらに通信網中での自己識別用に複数の自己ＩＤを利用可能な通信端末装置の動作方法であって、
着信回線種別を示す着信回線ＩＤを取得する第四着信回線ＩＤ取得ステップと、
着信に利用された自己ＩＤを示す呼出ＩＤを取得する第四呼出ＩＤ取得ステップと、
取得した着信回線ＩＤ及び呼出ＩＤに応じて着信処理制御をする着信回線ＩＤ呼出ＩＤ依存着信処理制御ステップと、
を有する通信端末装置の動作方法。
【請求項１７】
発信回線種別を示す発信回線ＩＤを含む着呼信号を受信可能な第三受信部と、
着呼信号に発信回線ＩＤが含まれている場合に、発信回線ＩＤを取得する第四発信回線ＩＤ取得部と、
発信ＩＤを取得する第三発信ＩＤ取得部と、
取得した発信回線ＩＤ及び発信ＩＤに応じて着信処理制御をする発信回線ＩＤ発信ＩＤ依存着信処理制御部と、
を有する通信端末装置。
【請求項１８】
発信回線種別を示す発信回線ＩＤを含む着呼信号を受信可能な第三受信ステップと、
着呼信号に発信回線ＩＤが含まれている場合に、発信回線ＩＤを取得する第四発信回線ＩＤ取得ステップと、
発信ＩＤを取得する第三発信ＩＤ取得ステップと、
取得した発信回線ＩＤ及び発信ＩＤに応じて着信処理制御をする発信回線ＩＤ発信ＩＤ依存着信処理制御ステップと、
を有する通信端末装置。
【請求項１９】
複数種の回線を利用可能であって、さらに通信網中での自己識別用に複数の自己ＩＤを利用可能な通信端末装置であって、
着信回線種別を示す着信回線ＩＤを取得する第五着信回線ＩＤ取得部と、
着信に利用された自己ＩＤを示す呼出ＩＤを取得する第五呼出ＩＤ取得部と、
発信回線種別を示す発信回線ＩＤを含む着呼信号を受信可能な第四受信部と、
着呼信号に発信回線ＩＤが含まれている場合に、発信回線ＩＤを取得する第五発信回線ＩＤ取得部と、
取得した着信回線ＩＤ、呼出ＩＤ及び発信回線ＩＤに応じて着信処理制御をする着信回線ＩＤ呼出ＩＤ発信回線ＩＤ依存着信処理制御部と、
を有する通信端末装置。
【請求項２０】
複数種の回線を利用可能であって、さらに通信網中での自己識別用に複数の自己ＩＤを利用可能な通信端末装置であって、
着信回線種別を示す着信回線ＩＤを取得する第六着信回線ＩＤ取得部と、
着信に利用された自己ＩＤを示す呼出ＩＤを取得する第六呼出ＩＤ取得部と、
発信ＩＤを取得する第四発信ＩＤ取得部と、
取得した着信回線ＩＤ、呼出ＩＤ及び発信ＩＤに応じて着信処理制御をする着信回線ＩＤ呼出ＩＤ発信ＩＤ依存着信処理制御部と、
を有する通信端末装置。
【請求項２１】
複数種の回線を利用可能な通信端末装置であって、
着信回線種別を示す着信回線ＩＤを取得する第七着信回線ＩＤ取得部と、
発信回線種別を示す発信回線ＩＤを含む着呼信号を受信可能な第五受信部と、
着呼信号に発信回線ＩＤが含まれている場合に、発信回線ＩＤを取得する第六発信回線ＩＤ取得部と、
発信ＩＤを取得する第五発信ＩＤ取得部と、
取得した着信回線ＩＤ、発信回線ＩＤ及び発信ＩＤに応じて着信処理制御をする着信回線ＩＤ発信回線ＩＤ発信ＩＤ依存着信処理制御部と、
を有する通信端末装置。
【請求項２２】
通信網中での自己識別用に複数の自己ＩＤを利用可能な通信端末装置であって、
着信に利用された自己ＩＤを示す呼出ＩＤを取得する第七呼出ＩＤ取得部と、
発信回線種別を示す発信回線ＩＤを含む着呼信号を受信可能な第六受信部と、
着呼信号に発信回線ＩＤが含まれている場合に、発信回線ＩＤを取得する第七発信回線ＩＤ取得部と、
発信ＩＤを取得する第六発信ＩＤ取得部と、
取得した呼出ＩＤ、発信回線ＩＤ及び発信ＩＤに応じて着信処理制御をする呼出ＩＤ発信回線ＩＤ発信ＩＤ依存着信処理制御部と、
を有する通信端末装置。
【請求項２３】
複数種の回線を利用可能であって、さらに通信網中での自己識別用に複数の自己ＩＤを利用可能な通信端末装置であって、
着信回線種別を示す着信回線ＩＤを取得する第八着信回線ＩＤ取得部と、
着信に利用された自己ＩＤを示す呼出ＩＤを取得する第八呼出ＩＤ取得部と、
発信回線種別を示す発信回線ＩＤを含む着呼信号を受信可能な第七受信部と、
着呼信号に発信回線ＩＤが含まれている場合に、発信回線ＩＤを取得する第八発信回線ＩＤ取得部と、
発信ＩＤを取得する第七発信ＩＤ取得部と、
取得した着信回線ＩＤ、呼出ＩＤ、発信回線ＩＤ及び発信ＩＤに応じて着信処理制御をする着信回線ＩＤ呼出ＩＤ発信回線ＩＤ発信ＩＤ依存着信処理制御部と、
を有する通信端末装置。
【発明の詳細な説明】
【技術分野】
【０００１】
複数種の回線等を利用可能な通信端末装置であって、着信回線等に応じた着信処理制御を行なうことを特徴とする通信端末装置に関する。
【背景技術】
【０００２】
従来、電話着信においては、発信者の電話番号等に応じて着信の許可又は着信を拒否する等の着信制御処理を行なうことが可能となっている。例えば、特許文献１においては、移動無線通信網において、発信者の電話番号と、その電話番号に対する着信ユーザから与えられている着信許否やメールサービス等の実行を示すサービス指示とをデータベースへ格納しておき、着信ユーザへの着信呼があった場合には、発信者の電話番号を解析し、その電話番号に対して指定されているサービスを着信ユーザの移動端末に対して実行する移動無線通信方式が記述されている。
【０００３】
また、近年においては、非特許文献１に示されているように無線ＬＡＮを内蔵した携帯電話が法人向けに発売されている。このような携帯電話は、社内では無線ＬＡＮを利用した内線電話として使用し、社外では通常の携帯電話として使用することができ、一台の携帯電話で２つの電話番号を利用することが可能となっている。また、別のサービスとして、一台の携帯電話で複数の異なる電話番号を保有できるサービスなども提供されている。これらのサービスのように、回線によって別々の電話番号が付与されるサービスにおいては特許文献１のように電話番号に応じて着信処理を行なうことが可能である。
【特許文献１】特開平５−１３６７２５号公報
【非特許文献１】株式会社エヌ・ティ・ティ・ドコモ、"Ｎ９００ｉＬ  特徴・デザイン"、［online］、株式会社エヌ・ティ・ティ・ドコモ、［平成１８年６月１２日検索］、インターネット<URL：http://www.docomo.biz/html/product/cordless/n900il/index.html>
【発明の開示】
【発明が解決しようとする課題】
【０００４】
ところで、近年、無線ＬＡＮ上でＶｏＩＰ（Ｖｏｉｃｅ  ｏｖｅｒ  ＩＰ）を利用することで従来の固定電話網を利用するよりも低価格にて通話を行なうことができるＩＰ電話が急速に普及し始めており、このような状況から、ＦＭＣ（Ｆｉｘｅｄ  Ｍｏｂｉｌｅ  Ｃｏｎｖｅｒｇｅｎｃｅ）と呼ばれる固定通信（Ｆｉｘｅｄ）と移動体通信（Ｍｏｂｉｌｅ）の融合による新しいサービスが提供されつつある。このＦＭＣでは、ＦＭＣ専用の電話番号として「０６０−」から始まる電話番号の利用が検討され始めている。すなわち、一つの電話番号で固定通信も移動体通信も行なうことができるわけであるが、このようなサービスにおいては、電話番号のみによって、固定通信を利用した電話着信であるのか移動体通信を利用した電話着信であるのかを区別することはできない。
【課題を解決するための手段】
【０００５】
そこで、本発明においては、複数種の回線を利用可能な通信端末装置であって、着信側通信端末装置において着信するために利用された着信回線種別に応じて着信処理制御を行なう通信端末装置を提案する。また、発信側において発信のために利用された発信回線種別に応じて着信処理制御を行なうようになっていてもよい。
【０００６】
図１は、本発明に係る通信端末装置によって通話を行なう場合の構成例である。通信端末装置（０１０１ａ、０１０１ｂ）は、一例として、無線ＬＡＮ通信と携帯電話通信が可能な携帯電話であるとする。発信側通信端末装置（０１０１ｂ）は、携帯電話網（０１０４）を利用するか、又は無線ＬＡＮルータ（０１０２ｂ）にアクセスして無線ＬＡＮ通信を行なうことによって、着信側通信端末装置（０１０１ａ）を呼び出す。無線ＬＡＮ通信は、無線ＬＡＮルータ（０１０２ｂ）から構内電話交換機（０１０３ｂ）を経由して固定電話網・ＩＰ電話網（０１０５）を利用することとなる。また、着信側通信端末装置（０１０１ａ）は、携帯電話網（０１０４）、又は固定電話網・ＩＰ電話網（０１０５）から構内電話交換機（０１０３ａ）、無線ＬＡＮルータ（０１０２ａ）を介して、着信呼を受けることとなる。この際、着信側通信端末装置（０１０１ａ）では、自身が利用している通信回線が回線１（携帯電話通信回線）であるか、回線２（無線ＬＡＮ通信回線）であるかによって、着信処理制御を行なう。また、発信側通信端末装置（０１０１ｂ）が利用している通信回線が、回線３（携帯電話通信回線）であるか、回線４（無線ＬＡＮ通信回線）であるかによって着信処理制御を行なうようになっていてもよい。
【０００７】
さらに、通信網中において複数の電話番号や複数のメールアドレス等を利用可能な通信端末装置であって、着信側通信端末装置を呼び出すために利用された電話番号やメールアドレス等に応じて着信処理制御を行なう通信端末装置を提案する。また、着信回線種別と着信側通信端末装置を呼び出すために利用された電話番号等に応じて着信処理制御を行なう通信端末装置を提案する。また、着信回線種別と発信回線種別に応じて着信処理制御を行なう通信端末装置を提案する。また、着信回線種別と発信側通信端末装置が発信時に利用した電話番号やメールアドレス等に応じて着信処理制御を行なう通信端末装置を提案する。また、着信側通信端末装置を呼び出すために利用された電話番号等と発信回線種別に応じて着信処理制御を行なう通信端末装置を提案する。また、着信側通信端末装置を呼び出すために利用された電話番号等と発信側通信端末装置が発信時に利用した電話番号等に応じて着信処理制御を行なう通信端末装置を提案する。また、発信回線種別と発信側通信端末装置が発信時に利用した電話番号等に応じて着信処理制御を行なう通信端末装置を提案する。また、着信回線種別と着信側通信端末装置を呼び出すために利用された電話番号等と発信回線種別に応じて着信処理制御を行なう通信端末装置を提案する。また、着信回線種別と着信側通信端末装置を呼び出すために利用された電話番号等と発信側通信端末装置が発信時に利用した電話番号等に応じて着信処理制御を行なう通信端末装置を提案する。また、着信回線種別と発信回線種別と発信側通信端末装置が発信時に利用した電話番号等に応じて着信処理制御を行なう通信端末装置を提案する。また、着信側通信端末装置を呼び出すために利用された電話番号等と発信回線種別と発信側通信端末装置が発信時に利用した電話番号等に応じて着信処理制御を行なう通信端末装置を提案する。また、着信回線と着信側通信端末装置を呼び出すために利用された電話番号等と発信回線種別と発信側通信端末装置が発信時に利用した電話番号等に応じて着信処理制御を行なう通信端末装置を提案する。
【発明の効果】
【０００８】
本発明の通信端末装置によれば、通話に利用された発信回線種別や着信回線種別等に応じて着信処理制御を行なうことが可能であるので、ＦＭＣ専用電話番号のように複数の回線種別に対して一の電話番号が付与されているような場合であっても、着信処理制御を行なうことが可能である。
【発明を実施するための最良の形態】
【０００９】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、８などについて説明する。実施形態２は、主に請求項２、９などについて説明する。実施形態３は、主に請求項３、１０などについて説明する。実施形態４は、主に請求項４、１１などについて説明する。実施形態５は、主に請求項５、１２などについて説明する。実施形態６は、主に請求項６、１３などについて説明する。実施形態７は、主に請求項７、１４などについて説明する。実施形態８は、主に請求項１５、１６などについて説明する。実施形態９は、主に請求項１７、１８などについて説明する。実施形態１０は、主に請求項１９などについて説明する。実施形態１１は、主に請求項２０などについて説明する。実施形態１２は、主に請求項２１などについて説明する。実施形態１３は、主に請求項２２などについて説明する。実施形態１４は、主に請求項２３などについて説明する。
（実施形態１）
【００１０】
（実施形態１：概要）本実施形態は、複数種の回線を利用可能な通信端末装置であって、着信側通信端末装置において着信に利用された着信回線種別に応じて着信処理制御を行なう通信端末装置について説明する。
【００１１】
（実施形態１：構成）本実施形態に係る通信端末装置の機能ブロック図を図２に例示する。通信端末装置（０２００）は、「第一着信回線ＩＤ取得部」（０２０１）と、「着信回線ＩＤ依存着信処理制御部」（０２０２）と、を有する。通信端末装置（０２００）は、複数種の回線を利用可能な通信端末装置である。「複数種の回線」とは、通話等に利用可能な通信回線であり、例えば、無線ＬＡＮ通信、携帯電話通信、等の通信回線が該当する。
【００１２】
なお、以下に詳述する本発明の構成要素である各部は、ハードウェア、ソフトウェア、ハードウェアとソフトウェアの両方のいずれかによって構成される。例えば、これらを実現する一例として、図３は無線ＬＡＮ通信と携帯電話通信が可能な携帯電話の構成例であるが、本発明に係る通信端末装置も図３と同様の構成により実現可能である。すなわち、通信部（０３０１）や無線ＬＡＮ通信部（０３０２）等の通信インタフェースによって発信、着信を行ない、ＣＰＵ等の主制御部（０３０３）、ＲＡＭやハードディスク（以下、「ＨＤＤ」）等の記憶部（０３０４）等によって、着信処理制御を行なうことが可能である。（明細書の全体を通じて同様である。）
【００１３】
「第一着信回線ＩＤ取得部」（０２０１）は、着信回線種別を示す着信回線ＩＤを取得する機能を有する。「回線」とは、手動交換機、電子交換機、デジタル交換機、等の様々な交換方式によって相互接続される種々の回線を指す。さらに、交換機によって接続される各回線を一の「回線」としてもよいし、交換機によって接続される複数の回線全体を一の「回線」としてもよい。例えば、図１において、回線２は固定電話回線（又はＩＰ電話回線）と、無線ＬＡＮ通信回線が接続されているが、各回線をそれぞれ、一の「回線」としてもよいし、双方が接続された回線全体を一の「回線」としてもよい。「着信回線」とは、着信側の通信端末装置が着信時に利用している回線である。例えば、図１において着信側通信端末装置（０１０１ａ）が着信時に携帯電話網を利用している場合には回線１（携帯電話通信回線）が該当し、無線ＬＡＮ通信により着信している場合には回線２（無線ＬＡＮ通信回線）等が該当する。また、「着信」とは、音声着信、テレビ電話着信、割り込み着信（いわゆる、キャッチホン、割込通話等）、メール着信、データ着信等、様々な着信があり得る。「着信回線ＩＤ」とは、着信回線種別を表すための情報であり、具体的には、図４に例示するような英数字の組み合わせ等により表現されることが想定される。また、着信回線ＩＤを取得する方法としては、例えば、着信信号やメールヘッダーに着信回線ＩＤが含まれていることで着信信号やメールヘッダーから抽出するようになっていてもよい。また、例えば通信端末装置のユーザが任意で利用する回線を指定したり、通信端末装置が自動的に通信可能な回線を判断することで利用する回線が決定されるような場合であれば、通信端末装置内のメモリ等に着信回線ＩＤが保持されることが想定されるため、メモリ等から着信回線ＩＤを読み出せばよい。また、着信電話番号やメールアドレス等と着信回線が一対一に対応している場合には、着信電話番号やメールアドレス等から着信回線を判断するようになっていてもよい。すなわち、第一着信回線ＩＤ取得部の具体的な処理としては、例えば携帯電話用アンテナや無線ＬＡＮモジュール等の通信インタフェースを介する等して着信回線ＩＤを受信し、ＲＡＭやＨＤＤ等の所定の記憶領域に格納する。また、第一着信回線ＩＤ取得部はこのような処理をＣＰＵに実行させるためのプログラムを含んでいてもよい。
【００１４】
「着信回線ＩＤ依存着信処理制御部」（０２０２）は、取得した着信回線ＩＤに応じて着信処理制御をする機能を有する。「着信処理制御」とは、具体的には、例えば着信の許可、着信の拒否、着信の転送、等が該当する。すなわち、「取得した着信回線ＩＤに応じて着信処理制御をする」とは、着信側通信端末装置が着信時に利用する着信回線によって着信の許可（例えば通話開始、メール受信など）をしたり、着信の拒否（例えば着信の切断、メールの受信拒否など）をしたりすることを意味する。このために、着信回線ＩＤ依存着信処理制御部は、例えば図５に例示するような着信回線ＩＤと着信処理を関連付けた情報をデータベース等としてＨＤＤ等に保持していることが想定される。また、一の着信回線ＩＤにおいて、さらに時間帯、曜日、日付等によって着信処理が異なるようになっていてもよい。このようになっていると、例えばある着信回線が仕事用として利用されている場合には勤務日や勤務時間にのみ着信許可とし他の時間は着信拒否とする、等のように、自動的に着信処理を変えることができるため利便性に優れる。
【００１５】
図６は、着信回線ＩＤ依存着信処理制御部における処理の具体例を示す。着信回線ＩＤ依存着信処理制御部（０６０２）においては、ＨＤＤ等の記憶装置（０６０３）に図５に例示したようなデータベースを保持しているものとする。まず、第一着信回線ＩＤ取得部（０６０１）において‘ｒｃｖ＿ｋａｉｓｅｎ０１’という着信回線ＩＤが取得され、ＲＡＭやＨＤＤ等の所定の記憶領域に格納されたとする。すると、着信回線ＩＤ依存着信処理制御部（０６０２）においては、着信回線ＩＤとして‘ｒｃｖ＿ｋａｉｓｅｎ０１’をＲＡＭやＨＤＤ等の所定の記憶領域から読出し、ＨＤＤ等の記憶装置（０６０３）に保持されているデータベースに対して照合を行なう。照合した結果、着信回線ＩＤ‘ｒｃｖ＿ｋａｉｓｅｎ０１’に関連付けられている着信処理は‘着信拒否’であるので、着信拒否のための制御を行なうこととなる。また、着信回線ＩＤ依存着信処理制御部はこのような処理をＣＰＵに実行させるためのプログラムを含んでいてもよい。
【００１６】
（実施形態１：処理の流れ）図７は、本実施形態に係る通信端末装置における処理の流れを示すフロー図を例示する。
【００１７】
最初に、ステップＳ０７０１において着信回線ＩＤを取得する。この処理は、主に第一着信回線ＩＤ取得部によって実行される。次に、ステップＳ０７０２において取得した着信回線ＩＤに応じて着信処理制御をする。この処理は、主に着信回線ＩＤ依存着信処理制御部によって実行される。
【００１８】
なお、図７のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００１９】
（実施形態１：効果）本実施形態に係る通信端末装置は、着信側通信端末装置が着信のために利用した着信回線に応じて着信処理制御を行なうことが可能であるので、例えば複数の回線に対して一の電話番号等が付与されている場合等であっても着信回線によって着信処理制御を行なうことができる。
（実施形態２）
【００２０】
（実施形態２：概要）本実施形態は、通信網中での自己識別用に複数の自己ＩＤを利用可能な通信端末装置であって、着信側通信端末装置において着信に利用された自己ＩＤに応じて着信処理制御を行なう通信端末装置について説明する。
【００２１】
（実施形態２：構成）本実施形態に係る通信端末装置の機能ブロック図を図８に例示する。通信端末装置（０８００）は、「第一呼出ＩＤ取得部」（０８０１）と、「呼出ＩＤ依存着信処理制御部」（０８０２）と、を有する。通信端末装置（０８００）は、通信網中での自己識別用に複数の自己ＩＤを利用可能な通信端末装置である。「通信網」は、同一種類の着信を行なうための通信網を一の通信網とする。例えば、音声通信網、テレビ電話通信網、メール通信網、データ通信網、等が想定される。「自己ＩＤ」とは、例えば、電話番号、メールアドレス等のような、通信において自己を表象し識別するためのシンボルをいう。すなわち、「通信網中での自己識別用に複数の自己ＩＤを利用可能」とは、音声通信網において複数の電話番号が利用可能であったり、メール通信網において複数のメールアドレスが利用可能である場合等を意味する。例えば、「ｙａｍａｄａ１＠×××．ｎｅ．ｊｐ」、「ｙａｍａｄａ２＠×××．ｎｅ．ｊｐ」というような複数のメールアドレスを利用可能である場合が該当する。
【００２２】
「第一呼出ＩＤ取得部」（０８０１）は、着信に利用された自己ＩＤを示す呼出ＩＤを取得する機能を有する。「着信に利用された自己ＩＤを示す呼出ＩＤ」とは、通信端末装置が複数の電話番号やメールアドレス等を有しており、そのうち実際に着信側通信端末装置を呼び出す（着信）ために利用された電話番号やメールアドレス等を指す。呼出ＩＤを取得する方法としては、例えば、着信信号やメールヘッダーに呼出ＩＤが含まれていることで着信信号やメールヘッダーから抽出するようになっていてもよい。また、例えば通信端末装置のユーザが任意で利用する呼出ＩＤを指定したり、通信端末装置が自動的に通信可能な回線を判断して利用する回線を決定することでその回線に対応する呼出ＩＤが自動的に決定されるような場合であれば、通信端末装置内のメモリ等に呼出ＩＤが保持されることが想定されるため、メモリ等から呼出ＩＤを読み出せばよい。また、着信電話番号やメールアドレス等と、着信回線が一対一に対応している場合には、着信回線ＩＤを取得することで着信回線に対応する着信電話番号やメールアドレス等を呼出ＩＤであると判断するようになっていてもよい。すなわち、第一呼出ＩＤ取得部の具体的な処理としては、例えば携帯電話用アンテナや無線ＬＡＮモジュール等の通信インタフェースを介する等して呼出ＩＤを受信し、ＲＡＭやＨＤＤ等の所定の記憶領域に格納する。また、第一呼出ＩＤ取得部はこのような処理をＣＰＵに実行させるためのプログラムを含んでいてもよい。
【００２３】
「呼出ＩＤ依存着信処理制御部」（０８０２）は、取得した呼出ＩＤに応じて着信処理制御をする機能を有する。「取得した呼出ＩＤに応じて着信処理制御をする」とは、着信側通信端末装置を呼び出すために利用された呼出ＩＤによって着信の許可（例えば通話開始、メール受信など）をしたり、着信の拒否（例えば着信の切断、メールの受信拒否など）をしたりすることを意味する。このために、呼出ＩＤ依存着信処理制御部は、例えば図９に例示するような呼出ＩＤと着信処理を関連付けた情報をデータベース等としてＨＤＤ等に保持していることが想定される。また、一の呼出ＩＤにおいて、さらに時間帯、曜日、日付等によって着信処理が異なるようになっていてもよい。このようになっていると、例えばある電話番号が仕事用として利用されている場合には勤務日や勤務時間にのみ着信許可とし他の時間は着信拒否とする、等のように、自動的に着信処理を変えることができるため利便性に優れる。
【００２４】
図１０は、呼出ＩＤ依存着信処理制御部における処理の具体例を示す。呼出ＩＤ依存着信処理制御部（１００２）においては、ＨＤＤ等の記憶装置（１００３）に図９に例示したようなデータベースを保持しているものとする。まず、第一呼出ＩＤ取得部（１００１）において‘０９０−××××―１２３４’という呼出ＩＤが取得され、ＲＡＭやＨＤＤ等の所定の記憶領域に格納されたとする。すると、呼出ＩＤ依存着信処理制御部（１００２）においては、呼出ＩＤとして‘０９０−××××―１２３４’をＲＡＭやＨＤＤ等の所定の記憶領域から読出し、ＨＤＤ等の記憶装置（１００３）に保持されているデータベースに対して照合を行なう。照合した結果、呼出ＩＤ‘０９０−××××―１２３４’に関連付けられている着信処理は‘着信拒否’であるので、着信拒否のための制御を行なうこととなる。また、呼出ＩＤ依存着信処理制御部はこのような処理をＣＰＵに実行させるためのプログラムを含んでいてもよい。
【００２５】
（実施形態２：処理の流れ）図１１は、本実施形態に係る通信端末装置における処理の流れを示すフロー図を例示する。
【００２６】
最初に、ステップＳ１１０１において呼出ＩＤを取得する。この処理は、主に第一呼出ＩＤ取得部によって実行される。次に、ステップＳ１１０２において取得した呼出ＩＤに応じて着信処理制御をする。この処理は、主に呼出ＩＤ依存着信処理制御部によって実行される。
【００２７】
（実施形態２：効果）本実施形態に係る通信端末装置は、着信側通信端末装置に対する着信時に利用された自己ＩＤに応じて着信処理制御を行なうことが可能である。よって、例えば着信側通信端末装置が複数の電話番号等を仕事用とプライベート用等のように使い分けをしている場合に、仕事中にはプライベートの着信は拒否する等の制御が可能となるため利便性が高い。
（実施形態３）
【００２８】
（実施形態３：概要）本実施形態は、発信側において発信に利用された発信回線種別のみに応じて着信処理制御を行なう通信端末装置について説明する。
【００２９】
（実施形態３：構成）本実施形態に係る通信端末装置の機能ブロック図を図１２に例示する。通信端末装置（１２００）は、「受信部」（１２０１）と、「第一発信回線ＩＤ取得部」（１２０２）と、「発信回線ＩＤ依存着信処理制御部」（１２０３）と、を有する。
【００３０】
「受信部」（１２０１）は、発信回線種別を示す発信回線ＩＤを含む着呼信号を受信する機能を有する。「発信回線」とは、発信側が発信のために利用している回線である。例えば、図１において発信側通信端末装置（０１０１ｂ）が発信時に携帯電話網を利用している場合には回線３（携帯電話通信回線）が該当し、無線ＬＡＮ通信により着信している場合には回線４（無線ＬＡＮ通信回線）等が該当する。なお、図１においては、「発信側」が本発明に係る通信端末装置の場合を例示しているが、勿論、「発信側」の端末は本発明に係る通信端末装置でなくともよい。また、「発信」とは、音声発信、テレビ電話発信、メール発信、データ発信等、様々な発信があり得る。「発信回線ＩＤ」とは、発信回線種別を表すための情報であり、具体的には、図１３に例示するような英数字の組み合わせ等により表現されることが想定される。
【００３１】
図３３により、発信回線ＩＤを含む着呼信号を受信する仕組みについて説明する。図３３は、一例として、発信側通信端末装置（３３０１ｂ）も着信側通信端末装置（３３０１ａ）も携帯電話網を利用している場合を示す。すなわち、発信回線と着信回線が携帯電話通信回線の場合である。まず、一般的な携帯電話通信の仕組みとして、発信側通信端末装置（３３０１ｂ）が着信側通信端末装置（３３０１ａ）の電話番号をダイヤルして発信すると、基地局（３３０２ｂ）、基地局交換局（３３０３ｂ）を介して、最寄りの中継交換局（３３０４ｂ）に接続される。さらに、着信側通信端末装置（３３０１ａ）が属する中継交換局（３３０４ａ）を通り、基地局交換局（３３０３ａ）、基地局（３３０２ａ）を介して、着信側通信端末装置（３３０１ａ）に着信する。このような携帯電話通信において、発信回線ＩＤを着呼信号（発信信号）に含める方法として、まず、発信側通信端末装置（３３０１ｂ）のメモリ等に発信に利用している発信回線（携帯電話通信回線）の発信回線ＩＤ（３３０５）が保持されており、発信側通信端末装置（３３０１ｂ）から発信回線ＩＤを発信信号に含めて発信する場合が想定される。また、基地局（３３０２ｂ）で発信回線ＩＤ（３３０６）を発信信号に付随させたり、基地局交換局（３３０３ｂ）や中継交換局（３３０４ｂ）において発信回線ＩＤ（３３０７、３３０８）を付随させる場合も想定される。このようにして発信回線ＩＤを含んだ発信信号は、前述のとおり、中間交換局（３３０４ａ）、基地局交換局（３３０３ａ）、基地局（３３０２ａ）を介して、着信側通信端末装置（３３０１ａ）に着呼信号として受信される。
【００３２】
「第一発信回線ＩＤ取得部」（１２０２）は、着呼信号に発信回線ＩＤが含まれている場合に、発信回線ＩＤを取得する機能を有する。「着呼信号に発信回線ＩＤが含まれている場合に、発信回線ＩＤを取得する」とは、前記受信部（１２０１）にて発信回線ＩＤを含む着呼信号を受信した場合、その着呼信号（メールの着信の場合にはメールヘッダー等であってもよい）から発信回線ＩＤを取り出すことを意味する。すなわち、第一発信回線ＩＤ取得部の具体的な処理としては、例えば携帯電話用アンテナや無線ＬＡＮモジュール等の通信インタフェースを介する等して受信した着呼信号から発信回線ＩＤを分離し、ＲＡＭやＨＤＤ等の所定の記憶領域に格納する。また、第一発信回線ＩＤ取得部はこのような処理をＣＰＵに実行させるためのプログラムを含んでいてもよい。
【００３３】
「発信回線ＩＤ依存着信処理制御部」（１２０３）は、取得した発信回線ＩＤに応じて着信処理制御をする機能を有する。「取得した発信回線ＩＤに応じて着信処理制御をする」とは、発信側が発信時に利用する発信回線によって着信の許可（例えば通話開始、メール受信など）をしたり、着信の拒否（例えば着信の切断、メールの受信拒否など）をしたりすることを意味する。このために、発信回線ＩＤ依存着信処理制御部は、例えば図１４に例示するような発信回線ＩＤと着信処理を関連付けた情報をデータベース等としてＨＤＤ等に保持していることが想定される。また、一の発信回線ＩＤにおいて、さらに時間帯、曜日、日付等によって着信処理が異なるようになっていてもよい。
【００３４】
図１５は、発信回線ＩＤ依存着信処理制御部における処理の具体例を示す。発信回線ＩＤ依存着信処理制御部（１５０２）においては、ＨＤＤ等の記憶装置（１５０３）に図１４に例示したようなデータベースを保持しているものとする。まず、第一発信回線ＩＤ取得部（１５０１）において‘ｓｎｄ＿ｋａｉｓｅｎ０１’という発信回線ＩＤが取得され、ＲＡＭやＨＤＤ等の所定の記憶領域に格納されたとする。すると、発信回線ＩＤ依存着信処理制御部（１５０２）においては、発信回線ＩＤとして‘ｓｎｄ＿ｋａｉｓｅｎ０１’をＲＡＭやＨＤＤ等の所定の記憶領域から読出し、ＨＤＤ等の記憶装置（１５０３）に保持されているデータベースに対して照合を行なう。照合した結果、発信回線ＩＤ‘ｓｎｄ＿ｋａｉｓｅｎ０１’に関連付けられている着信処理は‘着信拒否’であるので、着信拒否のための制御を行なうこととなる。また、発信回線ＩＤ依存着信処理制御部はこのような処理をＣＰＵに実行させるためのプログラムを含んでいてもよい。
【００３５】
（実施形態３：処理の流れ）図１６は、本実施形態に係る通信端末装置における処理の流れを示すフロー図を例示する。
【００３６】
最初に、ステップＳ１６０１において、発信回線ＩＤを含む着呼信号を受信する。この処理は、主に受信部によって実行される。次に、ステップＳ１６０２において着呼信号に発信回線ＩＤが含まれている場合に、発信回線ＩＤを取得する。この処理は、主に第一発信回線ＩＤ取得部によって実行される。次に、ステップＳ１６０３において取得した発信回線ＩＤに応じて着信処理制御をする。この処理は、主に発信回線ＩＤ依存着信処理制御部によって実行される。
【００３７】
（実施形態３：効果）本実施形態に係る通信端末装置は、発信側が利用した発信回線に応じて着信処理制御を行なうことが可能であるので、例えば複数の回線に対して一の電話番号等が付与されている場合等であっても発信回線によって着信処理制御を行なうことができる。
（実施形態４）
【００３８】
（実施形態４：概要）本実施形態は、着信側通信端末装置において着信に利用された着信回線種別と、発信側において発信に利用された発信回線種別の双方に応じて着信処理制御を行なう通信端末装置について説明する。
【００３９】
（実施形態４：構成）本実施形態に係る通信端末装置の機能ブロック図を図１７に例示する。通信端末装置（１７００）は、「第二着信回線ＩＤ取得部」（１７０１）と、「第一受信部」（１７０２）と、「第二発信回線ＩＤ取得部」（１７０３）と、「着信回線ＩＤ発信回線ＩＤ依存着信処理制御部」（１７０４）と、を有する。なお、通信端末装置（１７００）は、複数種の回線を利用可能な通信端末装置である。
【００４０】
「第二着信回線ＩＤ取得部」（１７０１）は、着信回線種別を示す着信回線ＩＤを取得する機能を有する。第二着信回線ＩＤ取得部の機能は、実施形態１にて説明した第一着信回線ＩＤ取得部の機能と同様であるので、ここでの説明は省略する。なお、着信回線ＩＤは、前述したように着呼信号に含まれている場合も想定されるので、その場合には、例えば後述の第一受信部（１７０２）にて受信される着呼信号から取得される場合も考えられる。
【００４１】
「第一受信部」（１７０２）は、発信回線種別を示す発信回線ＩＤを含む着呼信号を受信する機能を有する。第一受信部の機能は、実施形態３にて説明した受信部の機能と同様であるので、ここでの説明は省略する。
【００４２】
「第二発信回線ＩＤ取得部」（１７０３）は、着呼信号に発信回線ＩＤが含まれている場合に、発信回線ＩＤを取得する機能を有する。第二発信回線ＩＤ取得部の機能は、実施形態３にて説明した第一発信回線ＩＤ取得部の機能と同様であるので、ここでの説明は省略する。
【００４３】
「着信回線ＩＤ発信回線ＩＤ依存着信処理制御部」（１７０４）は、取得した着信回線ＩＤ及び発信回線ＩＤに応じて着信処理制御をする機能を有する。「取得した着信回線ＩＤ及び発信回線ＩＤに応じて着信処理制御をする」とは、着信側の通信端末装置が着信時に利用する着信回線と、発信側が発信時に利用する発信回線によって着信の許可（例えば通話開始、メール受信など）をしたり、着信の拒否（例えば着信の切断、メールの受信拒否など）をしたりすることを意味する。このために、着信回線ＩＤ発信回線ＩＤ依存着信処理制御部は、例えば図１８に例示するような着信回線ＩＤと発信回線ＩＤの双方と、着信処理を関連付けた情報をデータベース等としてＨＤＤ等に保持していることが想定される。また、一の着信回線ＩＤ又は発信回線ＩＤにおいて、さらに時間帯、曜日、日付等によって着信処理が異なるようになっていてもよい。
【００４４】
図１９は、着信回線ＩＤ発信回線ＩＤ依存着信処理制御部における処理の具体例を示す。着信回線ＩＤ発信回線ＩＤ依存着信処理制御部（１９０３）においては、ＨＤＤ等の記憶装置（１９０４）に図１８に例示したようなデータベースを保持しているものとする。まず、第二着信回線ＩＤ取得部（１９０１）において‘ｒｃｖ＿ｋａｉｓｅｎ０１’という着信回線ＩＤが取得され、ＲＡＭやＨＤＤ等の所定の記憶領域に格納されたとする。また、第二発信回線ＩＤ取得部（１９０２）において‘ｓｎｄ＿ｋａｉｓｅｎ０２’という発信回線ＩＤが取得され、ＲＡＭやＨＤＤ等の所定の記憶領域に格納されたとする。すると、着信回線ＩＤ発信回線ＩＤ依存着信処理制御部（１９０３）においては、着信回線ＩＤとして‘ｒｃｖ＿ｋａｉｓｅｎ０１’を、発信回線ＩＤとして‘ｓｎｄ＿ｋａｉｓｅｎ０２’を、ＲＡＭやＨＤＤ等の所定の記憶領域から読出し、ＨＤＤ等の記憶装置（１９０４）に保持されているデータベースに対して照合を行なう。照合した結果、着信回線ＩＤ‘ｒｃｖ＿ｋａｉｓｅｎ０１’と発信回線ＩＤ‘ｓｎｄ＿ｋａｉｓｅｎ０２’に関連付けられている着信処理は‘着信拒否’であるので、着信拒否のための制御を行なうこととなる。また、着信回線ＩＤ発信回線ＩＤ依存着信処理制御部はこのような処理をＣＰＵに実行させるためのプログラムを含んでいてもよい。
【００４５】
（実施形態４：処理の流れ）図２０は、本実施形態に係る通信端末装置における処理の流れを示すフロー図を例示する。
【００４６】
最初に、ステップＳ２００１において、着信回線ＩＤを取得する。この処理は、主に第二着信回線ＩＤ取得部によって実行される。次に、ステップＳ２００２において、発信回線ＩＤを含む着呼信号を受信する。この処理は、主に第一受信部によって実行される。次に、ステップＳ２００３において着呼信号に発信回線ＩＤが含まれている場合に、発信回線ＩＤを取得する。この処理は、主に第二発信回線ＩＤ取得部によって実行される。次に、ステップＳ２００４において取得した着信回線ＩＤ及び発信回線ＩＤに応じて着信処理制御をする。この処理は、主に着信回線ＩＤ発信回線ＩＤ依存着信処理制御部によって実行される。
【００４７】
（実施形態４：効果）本実施形態に係る通信端末装置は、着信側通信端末装置が利用した着信回線と発信側が利用した発信回線の双方に応じて着信処理制御を行なうことが可能であるので、例えば複数の回線に対して一の電話番号等が付与されている場合等であっても着信回線と発信回線によって着信処理制御を行なうことができる。
（実施形態５）
【００４８】
（実施形態５：概要）本実施形態は、通信網中での自己識別用に複数の自己ＩＤを利用可能な通信端末装置であって、着信側通信端末装置において着信に利用された呼出ＩＤと、発信側において発信に利用された発信回線種別の双方に応じて着信処理制御を行なう通信端末装置について説明する。
【００４９】
（実施形態５：構成）本実施形態に係る通信端末装置の機能ブロック図を図２１に例示する。通信端末装置（２１００）は、「第二呼出ＩＤ取得部」（２１０１）と、「第二受信部」（２１０２）と、「第三発信回線ＩＤ取得部」（２１０３）と、「呼出ＩＤ発信回線ＩＤ依存着信処理制御部」（２１０４）と、を有する。なお、通信端末装置（２１００）は、通信網中での自己識別用に複数の自己ＩＤを利用可能な通信端末装置である。
【００５０】
「第二呼出ＩＤ取得部」（２１０１）は、着信に利用された自己ＩＤを示す呼出ＩＤを取得する機能を有する。第二呼出ＩＤ取得部の機能は、実施形態２にて説明した第一呼出ＩＤ取得部の機能と同様であるので、ここでの説明は省略する。なお、呼出ＩＤは、前述したように着呼信号に含まれている場合も想定されるので、その場合には、例えば後述の第二受信部（２１０２）にて受信される着呼信号から取得される場合も考えられる。
【００５１】
「第二受信部」（２１０２）は、発信回線種別を示す発信回線ＩＤを含む着呼信号を受信する機能を有する。第二受信部の機能は、実施形態３にて説明した受信部や実施形態４にて説明した第一受信部の機能と同様であるので、ここでの説明は省略する。
【００５２】
「第三発信回線ＩＤ取得部」（２１０３）は、着呼信号に発信回線ＩＤが含まれている場合に、発信回線ＩＤを取得する機能を有する。第三発信回線ＩＤ取得部の機能は、実施形態３にて説明した第一発信回線ＩＤ取得部や実施形態４にて説明した第二発信回線ＩＤ取得部の機能と同様であるので、ここでの説明は省略する。
【００５３】
「呼出ＩＤ発信回線ＩＤ依存着信処理制御部」（２１０４）は、取得した呼出ＩＤ及び発信回線ＩＤに応じて着信処理制御をする機能を有する。「取得した呼出ＩＤ及び発信回線ＩＤに応じて着信処理制御をする」とは、着信側の通信端末装置を呼び出すために着信時に利用される呼出ＩＤと、発信側が発信時に利用する発信回線によって着信の許可（例えば通話開始、メール受信など）をしたり、着信の拒否（例えば着信の切断、メールの受信拒否など）をしたりすることを意味する。このために、呼出ＩＤ発信回線ＩＤ依存着信処理制御部は、例えば図２２に例示するような呼出ＩＤと発信回線ＩＤの双方と、着信処理を関連付けた情報をデータベース等としてＨＤＤ等に保持していることが想定される。また、一の呼出ＩＤ又は発信回線ＩＤにおいて、さらに時間帯、曜日、日付等によって着信処理が異なるようになっていてもよい。
【００５４】
図２３は、呼出ＩＤ発信回線ＩＤ依存着信処理制御部における処理の具体例を示す。呼出ＩＤ発信回線ＩＤ依存着信処理制御部（２３０３）においては、ＨＤＤ等の記憶装置（２３０４）に図２２に例示したようなデータベースを保持しているものとする。まず、第二呼出ＩＤ取得部（２３０１）において‘０９０−××××−１２３４’という呼出ＩＤが取得され、ＲＡＭやＨＤＤ等の所定の記憶領域に格納されたとする。また、第三発信回線ＩＤ取得部（２３０２）において‘ｓｎｄ＿ｋａｉｓｅｎ０２’という発信回線ＩＤが取得され、ＲＡＭやＨＤＤ等の所定の記憶領域に格納されたとする。すると、呼出ＩＤ発信回線ＩＤ依存着信処理制御部（２３０３）においては、呼出ＩＤとして‘０９０−××××−１２３４’を、発信回線ＩＤとして‘ｓｎｄ＿ｋａｉｓｅｎ０２’を、ＲＡＭやＨＤＤ等の所定の記憶領域から読出し、ＨＤＤ等の記憶装置（２３０４）に保持されているデータベースに対して照合を行なう。照合した結果、呼出ＩＤ‘０９０−××××−１２３４’と発信回線ＩＤ‘ｓｎｄ＿ｋａｉｓｅｎ０２’に関連付けられている着信処理は‘着信拒否’であるので、着信拒否のための制御を行なうこととなる。また、呼出ＩＤ発信回線ＩＤ依存着信処理制御部はこのような処理をＣＰＵに実行させるためのプログラムを含んでいてもよい。
【００５５】
（実施形態５：処理の流れ）図２４は、本実施形態に係る通信端末装置における処理の流れを示すフロー図を例示する。
【００５６】
最初に、ステップＳ２４０１において、呼出ＩＤを取得する。この処理は、主に第二呼出ＩＤ取得部によって実行される。次に、ステップＳ２４０２において、発信回線ＩＤを含む着呼信号を受信する。この処理は、主に第二受信部によって実行される。次に、ステップＳ２４０３において着呼信号に発信回線ＩＤが含まれている場合に、発信回線ＩＤを取得する。この処理は、主に第三発信回線ＩＤ取得部によって実行される。次に、ステップＳ２４０４において取得した呼出ＩＤ及び発信回線ＩＤに応じて着信処理制御をする。この処理は、主に呼出ＩＤ発信回線ＩＤ依存着信処理制御部によって実行される。
【００５７】
（実施形態５：効果）本実施形態に係る通信端末装置は、着信側通信端末装置を呼び出すために着信時に利用された呼出ＩＤと発信側が利用した発信回線の双方に応じて着信処理制御を行なうことが可能である。よって、例えば着信側通信端末装置が電話番号やメールアドレス等を仕事用とプライベート用等のように使い分けをしている場合に、仕事中にはプライベートの着信は拒否する等の制御が可能となるため利便性が高い。さらに、複数の回線に対して一の電話番号等が付与されている場合等であっても発信回線を判別することによって発信回線にも応じた着信処理制御を行なうことができる。
（実施形態６）
【００５８】
（実施形態６：概要）本実施形態は、着信側通信端末装置において着信に利用された着信回線種別と、発信側において発信に利用された発信ＩＤの双方に応じて着信処理制御を行なう通信端末装置について説明する。
【００５９】
（実施形態６：構成）本実施形態に係る通信端末装置の機能ブロック図を図２５に例示する。通信端末装置（２５００）は、「第三着信回線ＩＤ取得部」（２５０１）と、「第一発信ＩＤ取得部」（２５０２）と、「着信回線ＩＤ発信ＩＤ依存着信処理制御部」（２５０３）と、を有する。なお、通信端末装置（２５００）は、複数種の回線を利用可能な通信端末装置である。
【００６０】
「第三着信回線ＩＤ取得部」（２５０１）は、着信回線種別を示す着信回線ＩＤを取得する機能を有する。第三着信回線ＩＤ取得部の機能は、実施形態１にて説明した第一着信回線ＩＤ取得部や実施形態４にて説明した第二着信回線ＩＤ取得部の機能と同様であるので、ここでの説明は省略する。
【００６１】
「第一発信ＩＤ取得部」（２５０２）は、発信ＩＤを取得する機能を有する。「発信ＩＤ」とは、通信端末装置が複数の電話番号やメールアドレス等を有しており、そのうち実際に発信に利用された電話番号やメールアドレス等を指す。発信ＩＤを取得する方法としては、例えば、着信信号やメールヘッダーに発信ＩＤが含まれていることで着信信号やメールヘッダーから抽出する場合等が想定される。また、発信電話番号やメールアドレス等と発信回線が一対一に対応している場合には、発信回線から発信電話番号やメールアドレス等を判断するようになっていてもよい。すなわち、第一発信ＩＤ取得部の具体的な処理としては、例えば携帯電話用アンテナや無線ＬＡＮモジュール等の通信インタフェースを介する等して発信ＩＤを受信し、ＲＡＭやＨＤＤ等の所定の記憶領域に格納する。また、第一発信ＩＤ取得部はこのような処理をＣＰＵに実行させるためのプログラムを含んでいてもよい。
【００６２】
「着信回線ＩＤ発信ＩＤ依存着信処理制御部」（２５０３）は、取得した着信回線ＩＤ及び発信ＩＤに応じて着信処理制御をする機能を有する。「取得した着信回線ＩＤ及び発信ＩＤに応じて着信処理制御をする」とは、着信側の通信端末装置に対する着信時に利用される着信回線種別と、発信側が発信時に利用する電話番号やメールアドレス等によって着信の許可（例えば通話開始、メール受信など）をしたり、着信の拒否（例えば着信の切断、メールの受信拒否など）をしたりすることを意味する。このために、着信回線ＩＤ発信ＩＤ依存着信処理制御部は、例えば図２６に例示するような着信回線ＩＤと発信ＩＤの双方と、着信処理を関連付けた情報をデータベース等としてＨＤＤ等に保持していることが想定される。また、一の着信回線ＩＤ又は発信ＩＤにおいて、さらに時間帯、曜日、日付等によって着信処理が異なるようになっていてもよい。また、さらに発信ＩＤの電話帳データベースのグルーピングにも応じて着信処理制御を行なうようになっていてもよい。
【００６３】
図２７は、着信回線ＩＤ発信ＩＤ依存着信処理制御部における処理の具体例を示す。着信回線ＩＤ発信ＩＤ依存着信処理制御部（２７０３）においては、ＨＤＤ等の記憶装置（２７０４）に図２７に例示したようなデータベースを保持しているものとする。まず、第三着信回線ＩＤ取得部（２７０１）において‘ｒｃｖ＿ｋａｉｓｅｎ０１’という着信回線ＩＤが取得され、ＲＡＭやＨＤＤ等の所定の記憶領域に格納されたとする。また、第一発信ＩＤ取得部（２７０２）において‘０３−△△△△−５４３２’という発信ＩＤが取得され、ＲＡＭやＨＤＤ等の所定の記憶領域に格納されたとする。すると、着信回線ＩＤ発信ＩＤ依存着信処理制御部（２７０３）においては、着信回線ＩＤとして‘ｒｃｖ＿ｋａｉｓｅｎ０１’を、発信ＩＤとして‘０３−△△△△−５４３２’を、ＲＡＭやＨＤＤ等の所定の記憶領域から読出し、ＨＤＤ等の記憶装置（２７０４）に保持されているデータベースに対して照合を行なう。照合した結果、着信回線ＩＤ‘ｒｃｖ＿ｋａｉｓｅｎ０１’と発信ＩＤ‘０３−△△△△−５４３２’に関連付けられている着信処理は‘着信拒否’であるので、着信拒否のための制御を行なうこととなる。また、着信回線ＩＤ発信ＩＤ依存着信処理制御部はこのような処理をＣＰＵに実行させるためのプログラムを含んでいてもよい。
【００６４】
（実施形態６：処理の流れ）図２８は、本実施形態に係る通信端末装置における処理の流れを示すフロー図を例示する。
【００６５】
最初に、ステップＳ２８０１において、着信回線ＩＤを取得する。この処理は、主に第三着信回線ＩＤ取得部によって実行される。次に、ステップＳ２８０２において、発信ＩＤを取得する。この処理は、主に第一発信ＩＤ取得部によって実行される。次に、ステップＳ２８０３において取得した着信回線ＩＤ及び発信ＩＤに応じて着信処理制御をする。この処理は、主に着信回線ＩＤ発信ＩＤ依存着信処理制御部によって実行される。
【００６６】
（実施形態６：効果）本実施形態に係る通信端末装置は、着信側通信端末装置において着信に利用された着信回線種別と、発信側において発信に利用された発信ＩＤの双方に応じて着信処理制御を行なうことが可能である。よって、例えば着信側通信端末装置が回線に応じて仕事用とプライベート用等のように使い分けをしている場合に、着信回線によって着信処理制御を行なうことができ、さらに、発信側の電話番号やメールアドレス等によっても着信処理制御を行なうことができる。
（実施形態７）
【００６７】
（実施形態７：概要）本実施形態は、通信網中での自己識別用に複数の自己ＩＤを利用可能な通信端末装置であって、着信側通信端末装置において着信に利用された自己ＩＤと、発信側において発信に利用された発信ＩＤの双方に応じて着信処理制御を行なう通信端末装置について説明する。
【００６８】
（実施形態７：構成）本実施形態に係る通信端末装置の機能ブロック図を図２９に例示する。通信端末装置（２９００）は、「第三呼出ＩＤ取得部」（２９０１）と、「第二発信ＩＤ取得部」（２９０２）と、「呼出ＩＤ発信ＩＤ依存着信処理制御部」（２９０３）と、を有する。なお、通信端末装置（２９００）は、通信網中での自己識別用に複数の自己ＩＤを利用可能な通信端末装置である。
【００６９】
「第三呼出ＩＤ取得部」（２９０１）は、着信に利用された自己ＩＤを示す呼出ＩＤを取得する機能を有する。第三呼出ＩＤ取得部の機能は、実施形態２にて説明した第一呼出ＩＤ取得部や実施形態５にて説明した第二呼出ＩＤ取得部の機能と同様であるので、ここでの説明は省略する。
【００７０】
「第二発信ＩＤ取得部」（２９０２）は、発信ＩＤを取得する機能を有する。第二発信ＩＤ取得部の機能は、実施形態６にて説明した第一発信ＩＤ取得部の機能と同様であるので、ここでの説明は省略する。
【００７１】
「呼出ＩＤ発信ＩＤ依存着信処理制御部」（２９０３）は、取得した呼出ＩＤ及び発信ＩＤに応じて着信処理制御をする機能を有する。「取得した呼出ＩＤ及び発信ＩＤに応じて着信処理制御をする」とは、着信側の通信端末装置を呼び出すために利用される電話番号やメールアドレス等と、発信側が発信時に利用する電話番号やメールアドレス等によって着信の許可（例えば通話開始、メール受信など）をしたり、着信の拒否（例えば着信の切断、メールの受信拒否など）をしたりすることを意味する。このために、呼出ＩＤ発信ＩＤ依存着信処理制御部は、例えば図３０に例示するような呼出ＩＤと発信ＩＤの双方と、着信処理を関連付けた情報をデータベース等としてＨＤＤ等に保持していることが想定される。また、一の呼出ＩＤ又は発信ＩＤにおいて、さらに時間帯、曜日、日付等によって着信処理が異なるようになっていてもよい。また、さらに発信ＩＤの電話帳データベースのグルーピングにも応じて着信処理制御を行なうようになっていてもよい。
【００７２】
図３１は、呼出ＩＤ発信ＩＤ依存着信処理制御部における処理の具体例を示す。呼出ＩＤ発信ＩＤ依存着信処理制御部（３１０３）においては、ＨＤＤ等の記憶装置（３１０４）に図３１に例示したようなデータベースを保持しているものとする。まず、第三呼出ＩＤ取得部（３１０１）において‘０９０−××××−１２３４’という呼出ＩＤが取得され、ＲＡＭやＨＤＤ等の所定の記憶領域に格納されたとする。また、第二発信ＩＤ取得部（３１０２）において‘０３−△△△△−５４３２’という発信ＩＤが取得され、ＲＡＭやＨＤＤ等の所定の記憶領域に格納されたとする。すると、呼出ＩＤ発信ＩＤ依存着信処理制御部（３１０３）においては、呼出ＩＤとして‘０９０−××××−１２３４’を、発信ＩＤとして‘０３−△△△△−５４３２’を、ＲＡＭやＨＤＤ等の所定の記憶領域から読出し、ＨＤＤ等の記憶装置（３１０４）に保持されているデータベースに対して照合を行なう。照合した結果、呼出ＩＤ‘０９０−××××−１２３４’と発信ＩＤ‘０３−△△△△−５４３２’に関連付けられている着信処理は‘着信拒否’であるので、着信拒否のための制御を行なうこととなる。また、呼出ＩＤ発信ＩＤ依存着信処理制御部はこのような処理をＣＰＵに実行させるためのプログラムを含んでいてもよい。
【００７３】
（実施形態７：処理の流れ）図３２は、本実施形態に係る通信端末装置における処理の流れを示すフロー図を例示する。
【００７４】
最初に、ステップＳ３２０１において、呼出ＩＤを取得する。この処理は、主に第三呼出ＩＤ取得部によって実行される。次に、ステップＳ３２０２において、発信ＩＤを取得する。この処理は、主に第二発信ＩＤ取得部によって実行される。次に、ステップＳ３２０３において取得した呼出ＩＤ及び発信ＩＤに応じて着信処理制御をする。この処理は、主に呼出ＩＤ発信ＩＤ依存着信処理制御部によって実行される。
【００７５】
（実施形態７：効果）本実施形態に係る通信端末装置は、着信側通信端末装置を呼び出すために利用される呼出ＩＤと、発信側において発信に利用された発信ＩＤの双方に応じて着信処理制御を行なうことが可能である。よって、例えば着信側通信端末装置が電話番号やメールアドレス等を仕事用とプライベート用等のように使い分けをしている場合に、仕事中にはプライベートの着信は拒否する等の制御が可能となり、さらに、発信側の電話番号やメールアドレス等によっても着信処理制御を行なうことができる。
（実施形態８）
【００７６】
（実施形態８：概要）本実施形態は、着信側通信端末装置において着信に利用された着信回線種別と、着信側通信端末装置において着信に利用された自己ＩＤに応じて着信処理制御を行なう通信端末装置について説明する。
【００７７】
（実施形態８：構成）本実施形態に係る通信端末装置の機能ブロック図を図３４に例示する。通信端末装置（３４００）は、「第四着信回線ＩＤ取得部」（３４０１）と、「第四呼出ＩＤ取得部」（３４０２）と、「着信回線ＩＤ呼出ＩＤ依存着信処理制御部」（３４０３）と、を有する。なお、通信端末装置（３４００）は、複数種の回線を利用可能であって、さらに通信網中での自己識別用に複数の自己ＩＤを利用可能な通信端末装置である。
【００７８】
「第四着信回線ＩＤ取得部」（３４０１）は、着信回線種別を示す着信回線ＩＤを取得する機能を有する。第四着信回線ＩＤ取得部の機能は、実施形態１にて説明した第一着信回線ＩＤ取得部や実施形態４にて説明した第二着信回線ＩＤ取得部などの機能と同様であるので、ここでの説明は省略する。
【００７９】
「第四呼出ＩＤ取得部」（３４０２）は、着信に利用された自己ＩＤを示す呼出ＩＤを取得する機能を有する。第四呼出ＩＤ取得部の機能は、実施形態２にて説明した第一呼出ＩＤ取得部や実施形態５にて説明した第二呼出ＩＤ取得部などの機能と同様であるので、ここでの説明は省略する。
【００８０】
「着信回線ＩＤ呼出ＩＤ依存着信処理制御部」（３４０３）は、取得した着信回線ＩＤ及び呼出ＩＤに応じて着信処理制御をする機能を有する。「取得した着信回線ＩＤ及び呼出ＩＤに応じて着信処理制御をする」とは、着信側の通信端末装置に対する着信時に利用される着信回線種別と、着信側の通信端末装置を呼び出すために利用される電話番号やメールアドレス等によって着信の許可（例えば通話開始、メール受信など）をしたり、着信の拒否（例えば着信の切断、メールの受信拒否など）をしたりすることを意味する。このために、着信回線ＩＤ呼出ＩＤ依存着信処理制御部は、例えば図３５に例示するような着信回線ＩＤと呼出ＩＤの双方と、着信処理を関連付けた情報をデータベース等としてＨＤＤ等に保持していることが想定される。また、一の着信回線ＩＤ又は呼出ＩＤにおいて、さらに時間帯、曜日、日付等によって着信処理が異なるようになっていてもよい。
【００８１】
図３６は、着信回線ＩＤ呼出ＩＤ依存着信処理制御部における処理の具体例を示す。着信回線ＩＤ呼出ＩＤ依存着信処理制御部（３６０３）においては、ＨＤＤ等の記憶装置（３６０４）に図３５に例示したようなデータベースを保持しているものとする。まず、第四着信回線ＩＤ取得部（３６０１）において‘ｒｃｖ＿ｋａｉｓｅｎ０１’という着信回線ＩＤが取得され、ＲＡＭやＨＤＤ等の所定の記憶領域に格納されたとする。また、第四呼出ＩＤ取得部（３６０２）において‘０９０−××××−５６７８’という呼出ＩＤが取得され、ＲＡＭやＨＤＤ等の所定の記憶領域に格納されたとする。すると、着信回線ＩＤ呼出ＩＤ依存着信処理制御部（３６０３）においては、着信回線ＩＤとして‘ｒｃｖ＿ｋａｉｓｅｎ０１’を、呼出ＩＤとして‘０９０−××××−５６７８’を、ＲＡＭやＨＤＤ等の所定の記憶領域から読出し、ＨＤＤ等の記憶装置（３６０４）に保持されているデータベースに対して照合を行なう。照合した結果、着信回線ＩＤ‘ｒｃｖ＿ｋａｉｓｅｎ０１’と呼出ＩＤ‘０９０−××××−５６７８に関連付けられている着信処理は‘着信拒否’であるので、着信拒否のための制御を行なうこととなる。また、着信回線ＩＤ呼出ＩＤ依存着信処理制御部はこのような処理をＣＰＵに実行させるためのプログラムを含んでいてもよい。
【００８２】
（実施形態８：処理の流れ）図３７は、本実施形態に係る通信端末装置における処理の流れを示すフロー図を例示する。
【００８３】
最初に、ステップＳ３７０１において、着信回線ＩＤを取得する。この処理は、主に第四着信回線ＩＤ取得部によって実行される。次に、ステップＳ３７０２において、呼出ＩＤを取得する。この処理は、主に第四呼出ＩＤ取得部によって実行される。次に、ステップＳ３７０３において取得した着信回線ＩＤ及び呼出ＩＤに応じて着信処理制御をする。この処理は、主に着信回線ＩＤ呼出ＩＤ依存着信処理制御部によって実行される。
【００８４】
（実施形態８：効果）本実施形態に係る通信端末装置は、着信側通信端末装置において着信に利用された着信回線種別と、着信側通信端末装置において着信に利用された自己ＩＤの双方に応じて着信処理制御を行なうことが可能である。よって、例えば着信側通信端末装置が回線に応じて仕事用とプライベート用等のように使い分けをしている場合に、着信回線によって着信処理制御を行なうことができ、さらに、着信側の電話番号やメールアドレス等によっても着信処理制御を行なうことができる。
（実施形態９）
【００８５】
（実施形態９：概要）本実施形態は、発信側において発信に利用された発信回線種別と、発信側通信端末装置において発信に利用された発信ＩＤの双方に応じて着信処理制御を行なう通信端末装置について説明する。
【００８６】
（実施形態９：構成）本実施形態に係る通信端末装置の機能ブロック図を図３８に例示する。通信端末装置（３８００）は、「第三受信部」（３８０１）と、「第四発信回線ＩＤ取得部」（３８０２）と、「第三発信ＩＤ取得部」（３８０３）と、「発信回線ＩＤ発信ＩＤ依存着信処理制御部」（３８０４）と、を有する。
【００８７】
「第三受信部」（３８０１）は、発信回線種別を示す発信回線ＩＤを含む着呼信号を受信する機能を有する。第三受信部の機能は、実施形態３にて説明した受信部や実施形態４にて説明した第一受信部などの機能と同様であるので、ここでの説明は省略する。
【００８８】
「第四発信回線ＩＤ取得部」（３８０２）は、着呼信号に発信回線ＩＤが含まれている場合に、発信回線ＩＤを取得する機能を有する。第四発信回線ＩＤ取得部の機能は、実施形態３にて説明した第一発信回線ＩＤ取得部や実施形態４にて説明した第二発信回線ＩＤ取得部などの機能と同様であるので、ここでの説明は省略する。
【００８９】
「第三発信ＩＤ取得部」（３８０３）は、発信ＩＤを取得する機能を有する。第三発信ＩＤ取得部の機能は、実施形態６にて説明した第一発信ＩＤ取得部や実施形態７にて説明した第二発信ＩＤ取得部の機能と同様であるので、ここでの説明は省略する。
【００９０】
「発信回線ＩＤ発信ＩＤ依存着信処理制御部」（３８０４）は、取得した発信回線ＩＤ及び発信ＩＤに応じて着信処理制御をする機能を有する。「取得した発信回線ＩＤ及び発信ＩＤに応じて着信処理制御をする」とは、発信側が発信時に利用する発信回線と、発信側が発信時に利用する電話番号やメールアドレス等によって着信の許可（例えば通話開始、メール受信など）をしたり、着信の拒否（例えば着信の切断、メールの受信拒否など）をしたりすることを意味する。このために、発信回線ＩＤ発信ＩＤ依存着信処理制御部は、例えば図３９に例示するような発信回線ＩＤと発信ＩＤの双方と、着信処理を関連付けた情報をデータベース等としてＨＤＤ等に保持していることが想定される。また、一の発信回線ＩＤ又は発信ＩＤにおいて、さらに時間帯、曜日、日付等によって着信処理が異なるようになっていてもよい。また、さらに発信ＩＤの電話帳データベースのグルーピングにも応じて着信処理制御を行なうようになっていてもよい。
【００９１】
図４０は、発信回線ＩＤ発信ＩＤ依存着信処理制御部における処理の具体例を示す。発信回線ＩＤ発信ＩＤ依存着信処理制御部（４００３）においては、ＨＤＤ等の記憶装置（４００４）に図３９に例示したようなデータベースを保持しているものとする。まず、第四発信回線ＩＤ取得部（４００１）において‘ｓｎｄ＿ｋａｉｓｅｎ０１’という発信回線ＩＤが取得され、ＲＡＭやＨＤＤ等の所定の記憶領域に格納されたとする。また、第三発信ＩＤ取得部（４００２）において‘０３−△△△△−５４３２’という発信ＩＤが取得され、ＲＡＭやＨＤＤ等の所定の記憶領域に格納されたとする。すると、発信回線ＩＤ発信ＩＤ依存着信処理制御部（４００３）においては、発信回線ＩＤとして‘ｓｎｄ＿ｋａｉｓｅｎ０１’を、発信ＩＤとして‘０３−△△△△−５４３２’を、ＲＡＭやＨＤＤ等の所定の記憶領域から読出し、ＨＤＤ等の記憶装置（４００４）に保持されているデータベースに対して照合を行なう。照合した結果、発信回線ＩＤ‘ｓｎｄ＿ｋａｉｓｅｎ０１’と発信ＩＤ‘０３−△△△△−５４３２’に関連付けられている着信処理は‘着信拒否’であるので、着信拒否のための制御を行なうこととなる。また、発信回線ＩＤ発信ＩＤ依存着信処理制御部はこのような処理をＣＰＵに実行させるためのプログラムを含んでいてもよい。
【００９２】
（実施形態９：処理の流れ）図４１は、本実施形態に係る通信端末装置における処理の流れを示すフロー図を例示する。
【００９３】
最初に、ステップＳ４１０１において、発信回線ＩＤを含む着呼信号を受信する。この処理は、主に第三受信部によって実行される。次に、ステップＳ４１０２において着呼信号に発信回線ＩＤが含まれている場合に、発信回線ＩＤを取得する。この処理は、主に第四発信回線ＩＤ取得部によって実行される。次に、ステップＳ４１０３において、発信ＩＤを取得する。この処理は、主に第三発信ＩＤ取得部によって実行される。次に、ステップＳ４１０４において取得した発信回線ＩＤ及び発信ＩＤに応じて着信処理制御をする。この処理は、主に発信回線ＩＤ発信ＩＤ依存着信処理制御部によって実行される。
【００９４】
（実施形態９：効果）本実施形態に係る通信端末装置は、発信側において発信に利用された発信回線種別と、発信側通信端末装置において発信に利用された発信ＩＤの双方に応じて着信処理制御を行なうことが可能である。よって、例えば発信側通信端末装置が回線に応じて仕事用とプライベート用等のように使い分けをしている場合に、発信回線によって着信処理制御を行なうことができ、さらに、発信側の電話番号やメールアドレス等によっても着信処理制御を行なうことができる。
（実施形態１０）
【００９５】
（実施形態１０：概要）本実施形態は、着信側通信端末装置において着信に利用された着信回線種別と、着信側通信端末装置において着信に利用された自己ＩＤと、発信側において発信に利用された発信回線種別とに応じて着信処理制御を行なう通信端末装置について説明する。
【００９６】
（実施形態１０：構成）本実施形態に係る通信端末装置は、「第五着信回線ＩＤ取得部」と、「第五呼出ＩＤ取得部」と、「第四受信部」と、「第五発信回線ＩＤ取得部」と、「着信回線ＩＤ呼出ＩＤ発信回線ＩＤ依存着信処理制御部」と、を有する。なお、通信端末装置は、複数種の回線を利用可能であって、さらに通信網中での自己識別用に複数の自己ＩＤを利用可能な通信端末装置である。
【００９７】
「第五着信回線ＩＤ取得部」は、着信回線種別を示す着信回線ＩＤを取得する機能を有する。第五着信回線ＩＤ取得部の機能は、実施形態１にて説明した第一着信回線ＩＤ取得部や実施形態４にて説明した第二着信回線ＩＤ取得部などの機能と同様であるので、ここでの説明は省略する。
【００９８】
「第五呼出ＩＤ取得部」は、着信に利用された自己ＩＤを示す呼出ＩＤを取得する機能を有する。第五呼出ＩＤ取得部の機能は、実施形態２にて説明した第一呼出ＩＤ取得部や実施形態５にて説明した第二呼出ＩＤ取得部などの機能と同様であるので、ここでの説明は省略する。
【００９９】
「第四受信部」は、発信回線種別を示す発信回線ＩＤを含む着呼信号を受信する機能を有する。第四受信部の機能は、実施形態３にて説明した受信部や実施形態４にて説明した第一受信部などの機能と同様であるので、ここでの説明は省略する。
【０１００】
「第五発信回線ＩＤ取得部」は、着呼信号に発信回線ＩＤが含まれている場合に、発信回線ＩＤを取得する機能を有する。第五発信回線ＩＤ取得部の機能は、実施形態３にて説明した第一発信回線ＩＤ取得部や実施形態４にて説明した第二発信回線ＩＤ取得部などの機能と同様であるので、ここでの説明は省略する。
【０１０１】
「着信回線ＩＤ呼出ＩＤ発信回線ＩＤ依存着信処理制御部」は、取得した着信回線ＩＤ、呼出ＩＤ及び発信回線ＩＤに応じて着信処理制御をする機能を有する。「取得した着信回線ＩＤ、呼出ＩＤ及び発信回線ＩＤに応じて着信処理制御をする」とは、着信側の通信端末装置に対する着信時に利用される着信回線種別と、着信側の通信端末装置を呼び出すために利用される電話番号やメールアドレス等と、発信時に利用される発信回線種別とによって着信の許可（例えば通話開始、メール受信など）をしたり、着信の拒否（例えば着信の切断、メールの受信拒否など）をしたりすることを意味する。このために、着信回線ＩＤ呼出ＩＤ発信回線ＩＤ依存着信処理制御部は、着信回線ＩＤと呼出ＩＤと発信回線ＩＤの組合せと、着信処理とを関連付けた情報をデータベース等としてＨＤＤ等に保持していることが想定される。また、一の着信回線ＩＤ、呼出ＩＤ、発信回線ＩＤにおいて、さらに時間帯、曜日、日付等によって着信処理が異なるようになっていてもよい。着信回線ＩＤ呼出ＩＤ発信回線ＩＤ依存着信処理制御部は、前記第五着信回線ＩＤ取得部にて取得した着信回線ＩＤと、前記第五呼出ＩＤ取得部にて取得した呼出ＩＤと、前記第五発信回線ＩＤ取得部にて取得した発信回線ＩＤを、それぞれＲＡＭやＨＤＤ等の所定の記憶領域から読出し、ＨＤＤ等に保持されているデータベース等に対して照合し、該当する着信処理を読出して制御を行なうこととなる。また、着信回線ＩＤ呼出ＩＤ発信回線ＩＤ依存着信処理制御部はこのような処理をＣＰＵに実行させるためのプログラムを含んでいてもよい。
【０１０２】
（実施形態１０：処理の流れ）以下に、本実施形態に係る通信端末装置における処理の流れを説明する。
【０１０３】
最初に、着信回線ＩＤを取得する。この処理は、主に第五着信回線ＩＤ取得部によって実行される。次に、呼出ＩＤを取得する。この処理は、主に第五呼出ＩＤ取得部によって実行される。次に、発信回線ＩＤを含む着呼信号を受信する。この処理は、主に第四受信部によって実行される。次に、着呼信号に発信回線ＩＤが含まれている場合に、発信回線ＩＤを取得する。この処理は、主に第五発信回線ＩＤ取得部によって実行される。次に、取得した着信回線ＩＤ、呼出ＩＤ及び発信回線ＩＤに応じて着信処理制御をする。この処理は、主に着信回線ＩＤ呼出ＩＤ発信回線ＩＤ依存着信処理制御部によって実行される。
【０１０４】
（実施形態１０：効果）本実施形態に係る通信端末装置は、着信側通信端末装置において着信に利用された着信回線種別と、着信側通信端末装置において着信に利用された自己ＩＤと、発信側において発信に利用された発信回線種別とに応じて着信処理制御を行なうことが可能である。よって、例えば着信側通信端末装置や発信側が回線に応じて仕事用とプライベート用等のように使い分けをしている場合や、回線によって着信処理制御を行なうことができ、さらに、着信側の電話番号やメールアドレス等によっても着信処理制御を行なうことができる。
（実施形態１１）
【０１０５】
（実施形態１１：概要）本実施形態は、着信側通信端末装置において着信に利用された着信回線種別と、着信側通信端末装置において着信に利用された自己ＩＤと、発信側において発信に利用された発信ＩＤとに応じて着信処理制御を行なう通信端末装置について説明する。
【０１０６】
（実施形態１１：構成）本実施形態に係る通信端末装置は、「第六着信回線ＩＤ取得部」と、「第六呼出ＩＤ取得部」と、「第四発信ＩＤ取得部」と、「着信回線ＩＤ呼出ＩＤ発信ＩＤ依存着信処理制御部」と、を有する。なお、通信端末装置は、複数種の回線を利用可能であって、さらに通信網中での自己識別用に複数の自己ＩＤを利用可能な通信端末装置である。
【０１０７】
「第六着信回線ＩＤ取得部」は、着信回線種別を示す着信回線ＩＤを取得する機能を有する。第六着信回線ＩＤ取得部の機能は、実施形態１にて説明した第一着信回線ＩＤ取得部や実施形態４にて説明した第二着信回線ＩＤ取得部などの機能と同様であるので、ここでの説明は省略する。
【０１０８】
「第六呼出ＩＤ取得部」は、着信に利用された自己ＩＤを示す呼出ＩＤを取得する機能を有する。第六呼出ＩＤ取得部の機能は、実施形態２にて説明した第一呼出ＩＤ取得部や実施形態５にて説明した第二呼出ＩＤ取得部などの機能と同様であるので、ここでの説明は省略する。
【０１０９】
「第四発信ＩＤ取得部」は、発信ＩＤを取得する機能を有する。第四発信ＩＤ取得部の機能は、実施形態６にて説明した第一発信ＩＤ取得部や実施形態７にて説明した第二発信ＩＤ取得部の機能と同様であるので、ここでの説明は省略する。
【０１１０】
「着信回線ＩＤ呼出ＩＤ発信ＩＤ依存着信処理制御部」は、取得した着信回線ＩＤ、呼出ＩＤ及び発信ＩＤに応じて着信処理制御をする機能を有する。「取得した着信回線ＩＤ、呼出ＩＤ及び発信ＩＤに応じて着信処理制御をする」とは、着信側の通信端末装置に対する着信時に利用される着信回線種別と、着信側の通信端末装置を呼び出すために利用される電話番号やメールアドレス等と、発信時に利用される電話番号やメールアドレス等とによって着信の許可（例えば通話開始、メール受信など）をしたり、着信の拒否（例えば着信の切断、メールの受信拒否など）をしたりすることを意味する。このために、着信回線ＩＤ呼出ＩＤ発信ＩＤ依存着信処理制御部は、着信回線ＩＤと呼出ＩＤと発信ＩＤの組合せと、着信処理とを関連付けた情報をデータベース等としてＨＤＤ等に保持していることが想定される。また、一の着信回線ＩＤ、呼出ＩＤ、発信ＩＤにおいて、さらに時間帯、曜日、日付等によって着信処理が異なるようになっていてもよい。また、さらに発信ＩＤの電話帳データベースのグルーピングにも応じて着信処理制御を行なうようになっていてもよい。着信回線ＩＤ呼出ＩＤ発信ＩＤ依存着信処理制御部は、前記第六着信回線ＩＤ取得部にて取得した着信回線ＩＤと、前記第六呼出ＩＤ取得部にて取得した呼出ＩＤと、前記第四発信ＩＤ取得部にて取得した発信ＩＤを、それぞれＲＡＭやＨＤＤ等の所定の記憶領域から読出し、ＨＤＤ等に保持されているデータベース等に対して照合し、該当する着信処理を読出して制御を行なうこととなる。また、着信回線ＩＤ呼出ＩＤ発信ＩＤ依存着信処理制御部はこのような処理をＣＰＵに実行させるためのプログラムを含んでいてもよい。
【０１１１】
（実施形態１１：処理の流れ）以下に、本実施形態に係る通信端末装置における処理の流れを説明する。
【０１１２】
最初に、着信回線ＩＤを取得する。この処理は、主に第六着信回線ＩＤ取得部によって実行される。次に、呼出ＩＤを取得する。この処理は、主に第六呼出ＩＤ取得部によって実行される。次に、発信ＩＤを取得する。この処理は、主に第四発信ＩＤ取得部によって実行される。次に、取得した着信回線ＩＤ、呼出ＩＤ及び発信ＩＤに応じて着信処理制御をする。この処理は、主に着信回線ＩＤ呼出ＩＤ発信ＩＤ依存着信処理制御部によって実行される。
【０１１３】
（実施形態１１：効果）本実施形態に係る通信端末装置は、着信側通信端末装置において着信に利用された着信回線種別と、着信側通信端末装置において着信に利用された自己ＩＤと、発信側において発信に利用された発信ＩＤとに応じて着信処理制御を行なうことが可能である。よって、例えば着信側通信端末装置が回線に応じて仕事用とプライベート用等のように使い分けをしている場合や、回線によって着信処理制御を行なうことができ、さらに、着信側や発信側の電話番号やメールアドレス等によっても着信処理制御を行なうことができる。
（実施形態１２）
【０１１４】
（実施形態１２：概要）本実施形態は、着信側通信端末装置において着信に利用された着信回線種別と、発信側において発信に利用された発信回線種別と、発信側において発信に利用された発信ＩＤとに応じて着信処理制御を行なう通信端末装置について説明する。
【０１１５】
（実施形態１２：構成）本実施形態に係る通信端末装置は、「第七着信回線ＩＤ取得部」と、「第五受信部」と、「第六発信回線ＩＤ取得部」と、「第五発信ＩＤ取得部」と、「着信回線ＩＤ発信回線ＩＤ発信ＩＤ依存着信処理制御部」と、を有する。なお、通信端末装置は、複数種の回線を利用可能な通信端末装置である。
【０１１６】
「第七着信回線ＩＤ取得部」は、着信回線種別を示す着信回線ＩＤを取得する機能を有する。第七着信回線ＩＤ取得部の機能は、実施形態１にて説明した第一着信回線ＩＤ取得部や実施形態４にて説明した第二着信回線ＩＤ取得部などの機能と同様であるので、ここでの説明は省略する。
【０１１７】
「第五受信部」は、発信回線種別を示す発信回線ＩＤを含む着呼信号を受信する機能を有する。第五受信部の機能は、実施形態３にて説明した受信部や実施形態４にて説明した第一受信部などの機能と同様であるので、ここでの説明は省略する。
【０１１８】
「第六発信回線ＩＤ取得部」は、着呼信号に発信回線ＩＤが含まれている場合に、発信回線ＩＤを取得する機能を有する。第六発信回線ＩＤ取得部の機能は、実施形態３にて説明した第一発信回線ＩＤ取得部や実施形態４にて説明した第二発信回線ＩＤ取得部などの機能と同様であるので、ここでの説明は省略する。
【０１１９】
「第五発信ＩＤ取得部」は、発信ＩＤを取得する機能を有する。第五発信ＩＤ取得部の機能は、実施形態６にて説明した第一発信ＩＤ取得部や実施形態７にて説明した第二発信ＩＤ取得部の機能と同様であるので、ここでの説明は省略する。
【０１２０】
「着信回線ＩＤ発信回線ＩＤ発信ＩＤ依存着信処理制御部」は、取得した着信回線ＩＤ、発信回線ＩＤ及び発信ＩＤに応じて着信処理制御をする機能を有する。「取得した着信回線ＩＤ、発信回線ＩＤ及び発信ＩＤに応じて着信処理制御をする」とは、着信側の通信端末装置に対する着信時に利用される着信回線種別と、発信時に利用される発信回線種別と、発信時に利用される電話番号やメールアドレス等とによって着信の許可（例えば通話開始、メール受信など）をしたり、着信の拒否（例えば着信の切断、メールの受信拒否など）をしたりすることを意味する。このために、着信回線ＩＤ発信回線ＩＤ発信ＩＤ依存着信処理制御部は、着信回線ＩＤと発信回線ＩＤと発信ＩＤの組合せと、着信処理とを関連付けた情報をデータベース等としてＨＤＤ等に保持していることが想定される。また、一の着信回線ＩＤ、発信回線ＩＤ、発信ＩＤにおいて、さらに時間帯、曜日、日付等によって着信処理が異なるようになっていてもよい。また、さらに発信ＩＤの電話帳データベースのグルーピングにも応じて着信処理制御を行なうようになっていてもよい。着信回線ＩＤ発信回線ＩＤ発信ＩＤ依存着信処理制御部は、前記第七着信回線ＩＤ取得部にて取得した着信回線ＩＤと、前記第六発信回線ＩＤ取得部にて取得した発信回線ＩＤと、前記第五発信ＩＤ取得部にて取得した発信ＩＤを、それぞれＲＡＭやＨＤＤ等の所定の記憶領域から読出し、ＨＤＤ等に保持されているデータベース等に対して照合し、該当する着信処理を読出して制御を行なうこととなる。また、着信回線ＩＤ発信回線ＩＤ発信ＩＤ依存着信処理制御部はこのような処理をＣＰＵに実行させるためのプログラムを含んでいてもよい。
【０１２１】
（実施形態１２：処理の流れ）以下に、本実施形態に係る通信端末装置における処理の流れを説明する。
【０１２２】
最初に、着信回線ＩＤを取得する。この処理は、主に第七着信回線ＩＤ取得部によって実行される。次に、発信回線ＩＤを含む着呼信号を受信する。この処理は、主に第五受信部によって実行される。次に、着呼信号に発信回線ＩＤが含まれている場合に、発信回線ＩＤを取得する。この処理は、主に第六発信回線ＩＤ取得部によって実行される。次に、発信ＩＤを取得する。この処理は、主に第五発信ＩＤ取得部によって実行される。次に、取得した着信回線ＩＤ、発信回線ＩＤ及び発信ＩＤに応じて着信処理制御をする。この処理は、主に着信回線ＩＤ発信回線ＩＤ発信ＩＤ依存着信処理制御部によって実行される。
【０１２３】
（実施形態１２：効果）本実施形態に係る通信端末装置は、着信側通信端末装置において着信に利用された着信回線種別と、発信側において発信に利用された発信回線種別と、発信側において発信に利用された発信ＩＤとに応じて着信処理制御を行なうことが可能である。よって、例えば着信側通信端末装置や発信側が回線に応じて仕事用とプライベート用等のように使い分けをしている場合には回線によって着信処理制御を行なうことができ、さらに、発信側の電話番号やメールアドレス等によっても着信処理制御を行なうことができる。
（実施形態１３）
【０１２４】
（実施形態１３：概要）本実施形態は、着信側通信端末装置において着信に利用された自己ＩＤと、発信側において発信に利用された発信回線種別と、発信側において発信に利用された発信ＩＤとに応じて着信処理制御を行なう通信端末装置について説明する。
【０１２５】
（実施形態１３：構成）本実施形態に係る通信端末装置は、「第七呼出ＩＤ取得部」と、「第六受信部」と、「第七発信回線ＩＤ取得部」と、「第六発信ＩＤ取得部」と、「呼出ＩＤ発信回線ＩＤ発信ＩＤ依存着信処理制御部」と、を有する。なお、通信端末装置は、通信網中での自己識別用に複数の自己ＩＤを利用可能な通信端末装置である。
【０１２６】
「第七呼出ＩＤ取得部」は、着信に利用された自己ＩＤを示す呼出ＩＤを取得する機能を有する。第七呼出ＩＤ取得部の機能は、実施形態２にて説明した第一呼出ＩＤ取得部や実施形態５にて説明した第二呼出ＩＤ取得部などの機能と同様であるので、ここでの説明は省略する。
【０１２７】
「第六受信部」は、発信回線種別を示す発信回線ＩＤを含む着呼信号を受信する機能を有する。第六受信部の機能は、実施形態３にて説明した受信部や実施形態４にて説明した第一受信部などの機能と同様であるので、ここでの説明は省略する。
【０１２８】
「第七発信回線ＩＤ取得部」は、着呼信号に発信回線ＩＤが含まれている場合に、発信回線ＩＤを取得する機能を有する。第七発信回線ＩＤ取得部の機能は、実施形態３にて説明した第一発信回線ＩＤ取得部や実施形態４にて説明した第二発信回線ＩＤ取得部などの機能と同様であるので、ここでの説明は省略する。
【０１２９】
「第六発信ＩＤ取得部」は、発信ＩＤを取得する機能を有する。第六発信ＩＤ取得部の機能は、実施形態６にて説明した第一発信ＩＤ取得部や実施形態７にて説明した第二発信ＩＤ取得部の機能と同様であるので、ここでの説明は省略する。
【０１３０】
「呼出ＩＤ発信回線ＩＤ発信ＩＤ依存着信処理制御部」は、取得した呼出ＩＤ、発信回線ＩＤ及び発信ＩＤに応じて着信処理制御をする機能を有する。「取得した呼出ＩＤ、発信回線ＩＤ及び発信ＩＤに応じて着信処理制御をする」とは、着信側の通信端末装置を呼び出すために利用される電話番号やメールアドレス等と、発信時に利用される発信回線種別と、発信時に利用される電話番号やメールアドレス等とによって着信の許可（例えば通話開始、メール受信など）をしたり、着信の拒否（例えば着信の切断、メールの受信拒否など）をしたりすることを意味する。このために、呼出ＩＤ発信回線ＩＤ発信ＩＤ依存着信処理制御部は、呼出ＩＤと発信回線ＩＤと発信ＩＤの組合せと、着信処理とを関連付けた情報をデータベース等としてＨＤＤ等に保持していることが想定される。また、一の呼出ＩＤ、発信回線ＩＤ、発信ＩＤにおいて、さらに時間帯、曜日、日付等によって着信処理が異なるようになっていてもよい。また、さらに発信ＩＤの電話帳データベースのグルーピングにも応じて着信処理制御を行なうようになっていてもよい。呼出ＩＤ発信回線ＩＤ発信ＩＤ依存着信処理制御部は、前記第七呼出ＩＤ取得部にて取得した呼出ＩＤと、前記第七発信回線ＩＤ取得部にて取得した発信回線ＩＤと、前記第六発信ＩＤ取得部にて取得した発信ＩＤを、それぞれＲＡＭやＨＤＤ等の所定の記憶領域から読出し、ＨＤＤ等に保持されているデータベース等に対して照合し、該当する着信処理を読出して制御を行なうこととなる。また、呼出ＩＤ発信回線ＩＤ発信ＩＤ依存着信処理制御部はこのような処理をＣＰＵに実行させるためのプログラムを含んでいてもよい。
【０１３１】
（実施形態１３：処理の流れ）以下に、本実施形態に係る通信端末装置における処理の流れを説明する。
【０１３２】
最初に、呼出ＩＤを取得する。この処理は、主に第七呼出ＩＤ取得部によって実行される。次に、発信回線ＩＤを含む着呼信号を受信する。この処理は、主に第六受信部によって実行される。次に、着呼信号に発信回線ＩＤが含まれている場合に、発信回線ＩＤを取得する。この処理は、主に第七発信回線ＩＤ取得部によって実行される。次に、発信ＩＤを取得する。この処理は、主に第六発信ＩＤ取得部によって実行される。次に、取得した呼出ＩＤ、発信回線ＩＤ及び発信ＩＤに応じて着信処理制御をする。この処理は、主に呼出ＩＤ発信回線ＩＤ発信ＩＤ依存着信処理制御部によって実行される。
【０１３３】
（実施形態１３：効果）本実施形態に係る通信端末装置は、着信側通信端末装置において着信に利用された自己ＩＤと、発信側において発信に利用された発信回線種別と、発信側において発信に利用された発信ＩＤとに応じて着信処理制御を行なうことが可能である。よって、例えば発信側において回線や電話番号等に応じて仕事用とプライベート用等のように使い分けをしている場合には回線や電話番号等によって着信処理制御を行なうことができ、さらに、着信側の電話番号やメールアドレス等によっても着信処理制御を行なうことができる。
（実施形態１４）
【０１３４】
（実施形態１４：概要）本実施形態は、着信側通信端末装置において着信に利用された着信回線種別と、着信側通信端末装置において着信に利用された自己ＩＤと、発信側において発信に利用された発信回線種別と、発信側において発信に利用された発信ＩＤとに応じて着信処理制御を行なう通信端末装置について説明する。
【０１３５】
（実施形態１４：構成）本実施形態に係る通信端末装置は、「第八着信回線ＩＤ取得部」と、「第八呼出ＩＤ取得部」と、「第七受信部」と、「第八発信回線ＩＤ取得部」と、「第七発信ＩＤ取得部」と、「着信回線ＩＤ呼出ＩＤ発信回線ＩＤ発信ＩＤ依存着信処理制御部」と、を有する。なお、通信端末装置は、複数種の回線を利用可能であって、さらに通信網中での自己識別用に複数の自己ＩＤを利用可能な通信端末装置である。
【０１３６】
「第八着信回線ＩＤ取得部」は、着信回線種別を示す着信回線ＩＤを取得する機能を有する。第八着信回線ＩＤ取得部の機能は、実施形態１にて説明した第一着信回線ＩＤ取得部や実施形態４にて説明した第二着信回線ＩＤ取得部などの機能と同様であるので、ここでの説明は省略する。
【０１３７】
「第八呼出ＩＤ取得部」は、着信に利用された自己ＩＤを示す呼出ＩＤを取得する機能を有する。第八呼出ＩＤ取得部の機能は、実施形態２にて説明した第一呼出ＩＤ取得部や実施形態５にて説明した第二呼出ＩＤ取得部などの機能と同様であるので、ここでの説明は省略する。
【０１３８】
「第七受信部」は、発信回線種別を示す発信回線ＩＤを含む着呼信号を受信する機能を有する。第七受信部の機能は、実施形態３にて説明した受信部や実施形態４にて説明した第一受信部などの機能と同様であるので、ここでの説明は省略する。
【０１３９】
「第八発信回線ＩＤ取得部」は、着呼信号に発信回線ＩＤが含まれている場合に、発信回線ＩＤを取得する機能を有する。第八発信回線ＩＤ取得部の機能は、実施形態３にて説明した第一発信回線ＩＤ取得部や実施形態４にて説明した第二発信回線ＩＤ取得部などの機能と同様であるので、ここでの説明は省略する。
【０１４０】
「第七発信ＩＤ取得部」は、発信ＩＤを取得する機能を有する。第七発信ＩＤ取得部の機能は、実施形態６にて説明した第一発信ＩＤ取得部や実施形態７にて説明した第二発信ＩＤ取得部の機能と同様であるので、ここでの説明は省略する。
【０１４１】
「着信回線ＩＤ呼出ＩＤ発信回線ＩＤ発信ＩＤ依存着信処理制御部」は、取得した着信回線ＩＤ、呼出ＩＤ、発信回線ＩＤ及び発信ＩＤに応じて着信処理制御をする機能を有する。「取得した着信回線ＩＤ、呼出ＩＤ、発信回線ＩＤ及び発信ＩＤに応じて着信処理制御をする」とは、着信側の通信端末装置に対する着信時に利用される着信回線種別と、着信側の通信端末装置を呼び出すために利用される電話番号やメールアドレス等と、発信時に利用される発信回線種別と、発信時に利用される電話番号やメールアドレス等とによって着信の許可（例えば通話開始、メール受信など）をしたり、着信の拒否（例えば着信の切断、メールの受信拒否など）をしたりすることを意味する。このために、着信回線ＩＤ呼出ＩＤ発信回線ＩＤ発信ＩＤ依存着信処理制御部は、着信回線ＩＤと呼出ＩＤと発信回線ＩＤと発信ＩＤの組合せと、着信処理とを関連付けた情報をデータベース等としてＨＤＤ等に保持していることが想定される。また、一の着信回線ＩＤ、呼出ＩＤ、発信回線ＩＤ、発信ＩＤにおいて、さらに時間帯、曜日、日付等によって着信処理が異なるようになっていてもよい。着信回線ＩＤ呼出ＩＤ発信回線ＩＤ発信ＩＤ依存着信処理制御部は、前記第八着信回線ＩＤ取得部にて取得した着信回線ＩＤと、前記第八呼出ＩＤ取得部にて取得した呼出ＩＤと、前記第八発信回線ＩＤ取得部にて取得した発信回線ＩＤと、前記第七発信ＩＤ取得部にて取得した発信ＩＤとをそれぞれＲＡＭやＨＤＤ等の所定の記憶領域から読出し、ＨＤＤ等に保持されているデータベース等に対して照合し、該当する着信処理を読出して制御を行なうこととなる。また、着信回線ＩＤ呼出ＩＤ発信回線ＩＤ発信ＩＤ依存着信処理制御部はこのような処理をＣＰＵに実行させるためのプログラムを含んでいてもよい。
【０１４２】
（実施形態１４：処理の流れ）以下に、本実施形態に係る通信端末装置における処理の流れを説明する。
【０１４３】
最初に、着信回線ＩＤを取得する。この処理は、主に第八着信回線ＩＤ取得部によって実行される。次に、呼出ＩＤを取得する。この処理は、主に第八呼出ＩＤ取得部によって実行される。次に、発信回線ＩＤを含む着呼信号を受信する。この処理は、主に第七受信部によって実行される。次に、着呼信号に発信回線ＩＤが含まれている場合に、発信回線ＩＤを取得する。この処理は、主に第八発信回線ＩＤ取得部によって実行される。次に、発信ＩＤを取得する。この処理は、主に第七発信ＩＤ取得部によって実行される。次に、取得した着信回線ＩＤ、呼出ＩＤ、発信回線ＩＤ及び発信ＩＤに応じて着信処理制御をする。この処理は、主に着信回線ＩＤ呼出ＩＤ発信回線ＩＤ発信ＩＤ依存着信処理制御部によって実行される。
【０１４４】
（実施形態１４：効果）本実施形態に係る通信端末装置は、着信側通信端末装置において着信に利用された着信回線種別と、着信側通信端末装置において着信に利用された自己ＩＤと、発信側において発信に利用された発信回線種別と、発信側において発信に利用された発信ＩＤとに応じて着信処理制御を行なうことが可能である。よって、着信側通信端末装置や発信側が回線や電話番号等を、例えば仕事用やプライベート用等のように使い分けをしている場合に、これらの組合せによって着信処理制御を行なうことができる。
【図面の簡単な説明】
【０１４５】
【図１】本発明に係る通信端末装置によって通話を行なう場合の構成の一例図
【図２】実施形態１に係る通信端末装置の機能ブロック図
【図３】無線ＬＡＮ通信と携帯電話通信が可能な携帯電話の構成の一例図
【図４】着信回線ＩＤの一例図
【図５】着信回線ＩＤ依存着信処理制御部にて保持される情報の一例図
【図６】着信回線ＩＤ依存着信処理制御部における処理の一例図
【図７】実施形態１に係る通信端末装置の処理の流れを示すフロー図
【図８】実施形態２に係る通信端末装置の機能ブロック図
【図９】呼出ＩＤ依存着信処理制御部にて保持される情報の一例図
【図１０】呼出ＩＤ依存着信処理制御部における処理の一例図
【図１１】実施形態２に係る通信端末装置の処理の流れを示すフロー図
【図１２】実施形態３に係る通信端末装置の機能ブロック図
【図１３】発信回線ＩＤの一例図
【図１４】発信回線ＩＤ依存着信処理制御部にて保持される情報の一例図
【図１５】発信回線ＩＤ依存着信処理制御部における処理の一例図
【図１６】実施形態３に係る通信端末装置の処理の流れを示すフロー図
【図１７】実施形態４に係る通信端末装置の機能ブロック図
【図１８】着信回線ＩＤ発信回線ＩＤ依存着信処理制御部にて保持される情報の一例図
【図１９】着信回線ＩＤ発信回線ＩＤ依存着信処理制御部における処理の一例図
【図２０】実施形態４に係る通信端末装置の処理の流れを示すフロー図
【図２１】実施形態５に係る通信端末装置の機能ブロック図
【図２２】呼出ＩＤ発信回線ＩＤ依存着信処理制御部にて保持される情報の一例図
【図２３】呼出ＩＤ発信回線ＩＤ依存着信処理制御部における処理の一例図
【図２４】実施形態５に係る通信端末装置の処理の流れを示すフロー図
【図２５】実施形態６に係る通信端末装置の機能ブロック図
【図２６】着信回線ＩＤ発信ＩＤ依存着信処理制御部にて保持される情報の一例図
【図２７】着信回線ＩＤ発信ＩＤ依存着信処理制御部における処理の一例図
【図２８】実施形態６に係る通信端末装置の処理の流れを示すフロー図
【図２９】実施形態７に係る通信端末装置の機能ブロック図
【図３０】呼出ＩＤ発信ＩＤ依存着信処理制御部にて保持される情報の一例図
【図３１】呼出ＩＤ発信ＩＤ依存着信処理制御部における処理の一例図
【図３２】実施形態７に係る通信端末装置の処理の流れを示すフロー図
【図３３】発信回線ＩＤを含む着呼信号を受信する仕組みの一例図
【図３４】実施形態８に係る通信端末装置の機能ブロック図
【図３５】着信回線ＩＤ呼出ＩＤ依存着信処理制御部にて保持される情報の一例図
【図３６】着信回線ＩＤ呼出ＩＤ依存着信処理制御部における処理の一例図
【図３７】実施形態８に係る通信端末装置の処理の流れを示すフロー図
【図３８】実施形態９に係る通信端末装置の機能ブロック図
【図３９】発信回線ＩＤ発信ＩＤ依存着信処理制御部にて保持される情報の一例図
【図４０】発信回線ＩＤ発信ＩＤ依存着信処理制御部における処理の一例図
【図４１】実施形態９に係る通信端末装置の処理の流れを示すフロー図
【符号の説明】
【０１４６】
０１０１ａ  着信側通信端末装置
０１０１ｂ  発信側通信端末装置
０１０２ａ  無線ＬＡＮルータ
０１０２ｂ  無線ＬＡＮルータ
０１０３ａ  構内電話交換機
０１０３ｂ  構内電話交換機
０１０４  携帯電話網
０１０５  固定電話網・ＩＰ電話網
【図１】
2009290246.tif 000003
【図２】
2009290246.tif 000004
【図３】
2009290246.tif 000005
【図４】
2009290246.tif 000006
【図５】
2009290246.tif 000007
【図６】
2009290246.tif 000008
【図７】
2009290246.tif 000009
【図８】
2009290246.tif 000010
【図９】
2009290246.tif 000011
【図１０】
2009290246.tif 000012
【図１１】
2009290246.tif 000013
【図１２】
2009290246.tif 000014
【図１３】
2009290246.tif 000015
【図１４】
2009290246.tif 000016
【図１５】
2009290246.tif 000017
【図１６】
2009290246.tif 000018
【図１７】
2009290246.tif 000019
【図１８】
2009290246.tif 000020
【図１９】
2009290246.tif 000021
【図２０】
2009290246.tif 000022
【図２１】
2009290246.tif 000023
【図２２】
2009290246.tif 000024
【図２３】
2009290246.tif 000025
【図２４】
2009290246.tif 000026
【図２５】
2009290246.tif 000027
【図２６】
2009290246.tif 000028
【図２７】
2009290246.tif 000029
【図２８】
2009290246.tif 000030
【図２９】
2009290246.tif 000031
【図３０】
2009290246.tif 000032
【図３１】
2009290246.tif 000033
【図３２】
2009290246.tif 000034
【図３３】
2009290246.tif 000035
【図３４】
2009290246.tif 000036
【図３５】
2009290246.tif 000037
【図３６】
2009290246.tif 000038
【図３７】
2009290246.tif 000039
【図３８】
2009290246.tif 000040
【図３９】
2009290246.tif 000041
【図４０】
2009290246.tif 000042
【図４１】
2009290246.tif 000043